(57)【要約】【課題】  本発明は、網点画像を出力する印刷機等を用いて網点画像を出力する際のインキの塗布厚の調整量を指示するインキ調整量指示方法等に関し、オペレータの熟練に頼ることなく、インキ調整量を客観的に算出して指示する。【解決手段】  印刷機のカラープロファイルを求めておくとともにインキ塗布厚の設定値とパッチの濃度値との対応関係を求めておき、印刷に先立って印刷予定の画像上に色調整領域を求めるとともに色調整目標値を得、実際の印刷にあたってこの色調整領域を測色してＣＩＥＸＹＺ値を求め、そのＣＩＥＸＹＺ値をカラープロファイルに従ってＣＭＹＫ値に変換し、そのＣＭＹＫ値と色調整目標値と上記対応関係とからインキ塗布厚の調整値を求める。【選択図】      図１２
2005047117.tif 000002
【特許請求の範囲】
【請求項１】
印刷機のインキ調整量指示方法において、
網点面積率を表すデバイス空間の座標と網点で形成された色の色度値を表す共通色空間の座標とを対応づけたカラープロファイルを求める第１ステップと、
インキ調整量を標準状態から変えながら、網点面積１００％の濃度と前記インキ調整量の関係を各色インキごとに求める第２ステップと、
画像データから色調整領域を求める第３ステップと、
前記調整領域の共通色空間の座標を取得する第４ステップと、
前記画像データを印刷した印刷物の前記調整領域を測色して共通色空間の座標を求める第５ステップと、
前記第４ステップの共通色空間の座標と前記第５ステップの共通色空間の座標から前記印刷物を刷ったときの各色インキの網点面積１００％の濃度推定値を各インキごとに求める第６ステップと、
前記第２ステップで求められた関係に基づいて、前記第６ステップで求められた各色インキの網点面積１００％の濃度推定値から各色インキごとの前記各調整量を求める第７ステップと、
前記第７ステップで求められた前記調整量を指示する第８ステップとを有することを特徴とするインキ調整量指示方法。
【請求項２】
前記第３ステップは、
前記画像データ上に、色調整の基準点を指定する第１サブステップと、
前記カラープロファイルを介して、前記色基準点のデバイス座標から共通色空間座標を含む該座標近傍の色領域を求め、前記カラープロファイルを介して前記画像データ上の前記色領域に対応する色調整領域を求める第２サブステップとを有することを特徴とする請求項１記載のインキ調整量指示方法。
【請求項３】
前記第３ステップは、
前記カラープロファイルを介して、前記画像データの共通色空間の所定のグレー領域から前記デバイス空間での色調整領域を求めることを特徴とする請求項１記載のインキ調整量指示方法。
【請求項４】
前記印刷機は、記録用紙の搬送方向と垂直に分割配置されたインキ量調整機構を持ち、
前記第５ステップは、前記インキ量調整機構の各分割位置ごとに求めるステップであり、
前記第６ステップおよび前記第７ステップは、前記網点面積１００％の濃度推定値および前記調整量を、各色インキ、かつ、前記各分割位置ごとに求めるステップであり、
前記第８ステップは、前記第７ステップで求められた、各色インキごと、かつ、前記各分割位置ごとの前記各調整量を指示するステップであることを特徴とする請求項１記載のインキ調整量指示方法。
【請求項５】
前記第３ステップは、
前記画像データ上に、色調整の基準点を指定する第１サブステップと、
前記カラープロファイルを介して、前記色基準点のデバイス座標から共通色空間座標を含む該座標近傍の色領域を求め、前記カラープロファイルを介して前記画像データ上の前記色領域に対応する第１の色調整領域を求める第２サブステップとを有するとともに、さらに、
前記カラープロファイルを介して、前記画像データの共通色空間の所定のグレー領域から前記デバイス空間での第２の色調整領域を求める第３ステップを有し、
前記第４ステップ以降の各ステップは，前記各分割位置のうち前記第１の色調整領域が重なる分割頷域については、該第１の色調整領域を前記色調整領域として取り扱い、前記各分割位置のうち前記第１の色調整領域に重なる分割領域を除く指定色不存在分割領域については、前記第２の色調整領域を前記色調整領域として取り扱うことを特徴とする請求項４記載のインキ調整量指示方法。
【請求項６】
前記第７ステップは、前記各分割領域のうち前記第３ステップで求められた色調整領域に重なる分割領域を除く調整色不存在分割領域については、該調整色不存在分割領域についての前記調整量を、該色調整領域に重なる分割領域について求められる前記調整量に基づいて求めるものであることを特徴とする請求項４又は５記載のインキ調整量指示方法。
【請求項７】
前記デバイス空間の座標から、ドットゲインを含んだ座標への写像関係を定めておき、
前記第６ステップは、前記カラープロファイルを介して前記第４ステップで求められた色度値と、前記第５ステップで求められ色度値との双方から該デバイス空間の座標を求め、さらに前記写像関係から前記ドットゲインを含んだ座標に変換する第１サブステップと、
該第１サブステップで求められた該デバイス空間の該ドットゲインを含んだ座標から前記印刷物を刷ったときの各色インキの網点面積１００％の濃度の推定値を求める第２サブステップを有するステップであることを特徴とする請求項１記載のインキ調整量指示方法。
【請求項８】
前記写像関係は、前記デバイス空間上の座標値に前記カラープロファイルを介して対応づけられた前記共通色空間上の座標値に基づいてドットゲインを含んだ各色インキごとの網％値を求める演算を前記デバイス空間上の複数の座標値について行なうことにより、定めたものであることを特徴とする請求項７記載のインキ調整量指示方法。
【請求項９】
前記写像関係は、前記デバイス空間上の複数の座標値に対応づけられた複数のパッチデータに基づいて複数のカラーパッチを出力し、該複数のカラーパッチそれぞれについてドットゲインを含んだ各色インキごとの網％を測定することにより、定めたものであることを特徴とする請求項７記載のインキ調整量指示方法。
【請求項１０】
前記複数の座標値は、相互に濃度が異なるグレー色に対応する座標値であることを特徴とする請求項８又は９記載のインキ調整量指示方法。
【請求項１１】
前記第６ステップにおける前記第２サブステップは、
前記２つのドットゲインを含んだ座標それぞれと、印刷機が前記標準状態での網点面積１００％濃度とに基づいて該２つのドットゲインを含んだ座標に対応する２つの濃度値を求め、該２つの濃度値と前記標準網点面積１００％濃度とに基づいて、前記印刷物を刷ったときの網点面積１００％の濃度の推定値を求めることを特徴とする請求項７記載のインキ調整量指示方法。
【請求項１２】
前記第８ステップは、前記第７ステップで求められた前記各調整量を、前記印刷機の前記インキ量調整機構の各分割位置ごとの各色インキ量を手動調整するオペレータに向けて指示するものであることを特徴とする請求項１記載のインキ調整量指示方法。
【請求項１３】
前記第８ステップは、前記第７ステップで求められた前記各調整量を、前記印刷機の前記インキ量調整機構の各分割位置ごとの各色インキ量を自動調整するインキ量調整装置に向けて指示するものであることを特徴とする請求項１記載のインキ調整量指示方法。
【請求項１４】
印刷機のインキ調整量指示装置において、
網点面積率を表すデバイス空間の座標と網点で形成された色の色度値を表す共通色空間の座標とを対応づけたカラープロファイルを記憶しておくとともに、インキ調整量を標準状態から変えながら、各色インキごとに求めた、網点面積１００％の濃度と前記インキ調整量の関係を記憶しておく記憶部と、
画像データから色調整領域を求める色調整領域取得部と
前記調整領域の共通色空間の座標を取得する目標色取得部と、
前記画像データを印刷した印刷物の前記調整領域を測色して共通色空間の座標を求める測色データ取得部と、
前記目標色取得部で取得した共通色空間の座標と前記測色データ取得部で求めた共通色空間の座標から前記印刷物を刷ったときの各色インキの網点面積１００％の濃度推定値を各インキごとに求めるベタ濃度算出部と、
前記記憶部に記憶された関係に基づいて、前記ベタ濃度算出部で求められた各色インキの網点面積１００％の濃度推定値から各色インキごとの前記各調整量を求める調整量算出部と、
前記調整量算出部で求められた前記調整量を指示する調整量指示部とを備えたことを特徴とするインキ調整量指示装置。
【請求項１５】
前記色調整領域取得部は、
前記画像データ上に、色調整の基準点を指定する基準点指定部と、
前記カラープロファイルを介して、前記色基準点のデバイス座標から共通色空間座標を含む該座標近傍の色領域を求め、前記カラープロファイルを介して前記画像データ上の前記色領域に対応する色調整領域を求める色調整領域算出部とを備えたことを特徴とする請求項１４記載のインキ調整量指示装置。
【請求項１６】
前記色調整領域取得部は、
前記カラープロファイルを介して、前記画像データの共通色空間の所定のグレー領域から前記デバイス空間での色調整領域を求めることを特徴とする請求項１４記載のインキ調整量指示装置。
【請求項１７】
前記印刷機は、記録用紙の搬送方向と垂直に分割配置されたインキ量調整機構を持ち、
前記測色データ取得部は、前記インキ量調整機構の各分割位置ごとに求め、
前記ベタ濃度算出部および前記調整量算出部は、前記網点面積１００％の濃度推定値および前記調整量を、各色インキ、かつ、前記各分割位置ごとに求め、
前記調整量指示部は、前記調整量算出部で求められた、各色インキごと、かつ、前記各分割位置ごとの前記各調整量を指示するものであることを特徴とする請求項１４記載のインキ調整量指示装置。
【請求項１８】
前記色調整領域取得部は、
前記画像データ上に、色調整の基準点を指定する基準点指定部と、
前記カラープロファイルを介して、前記色基準点のデバイス座標から共通色空間座標を含む該座標近傍の色領域を求め、前記カラープロファイルを介して前記画像データ上の前記色領域に対応する第１の色調整領域を求める第１の色調整領域取得部を具備するとともに、さらに、
前記カラープロファイルを介して、前記画像データの共通色空間の所定のグレー領域から前記デバイス空間での第２の色調整領域を求める第２の色調整領域取得部を具備するものであって、
このインキ調整量指示装置は、
前記各分割位置のうち前記第１の色調整領域が重なる分割頷域については、該第１の色調整領域を前記色調整領域として取り扱い、前記各分割位置のうち前記第１の色調整領域に重なる分割領域を除く指定色不存在分割領域については、前記第２の色調整領域を前記色調整領域として取り扱うことを特徴とする請求項１７記載のインキ調整量指示装置。
【請求項１９】
前記調整量算出部は、前記各分割領域のうち前記色調整領域算出部で求められた色調整領域に重なる分割領域を除く調整色不存在分割領域については、該調整色不存在分割領域についての前記調整量を、該色調整領域に重なる分割領域について求められる前記調整量に基づいて求めるものであることを特徴とする請求項１７又は１８記載のインキ調整量指示装置。
【請求項２０】
前記記憶部は、更に、前記デバイス空間の座標から、ドットゲインを含んだ座標への写像関係を記憶しておくものであり、
前記ベタ濃度算出部は、前記カラープロファイルを介して前記目標色取得部で求められた色度値と、前記測色データ取得部で求められ色度値との双方から該デバイス空間の座標を求め、さらに前記写像関係から前記ドットゲインを含んだ座標に変換するドットゲイン算入部と、
該ドットゲイン算入部で求められた該デバイス空間の該ドットゲインを含んだ座標から前記印刷物を刷ったときの各色インキの網点面積１００％の濃度の推定値を求めるベタ濃度推定部を備えたものであることを特徴とする請求項１４記載のインキ調整量指示装置。
【請求項２１】
前記ベタ濃度推定部は、前記２つのドットゲインを含んだ座標それぞれと、印刷機が前記標準状態での網点面積１００％濃度とに基づいて該２つのドットゲインを含んだ座標に対応する２つの濃度値を求め、該２つの濃度値と前記標準網点面積１００％濃度とに基づいて、前記印刷物を刷ったときの網点面積１００％の濃度の推定値を求めることを特徴とする請求項２０記載のインキ調整量指示装置。
【請求項２２】
前記調整量指示部は、前記調整量算出部で求められた前記各調整量を、前記印刷機の前記インキ量調整機構の各分割位置ごとの各色インキ量を手動調整するオペレータに向けて指示するものであることを特徴とする請求項１４記載のインキ調整量指示装置。
【請求項２３】
前記調整量指示部は、前記調整量算出部で求められた前記各調整量を、前記印刷機の前記インキ量調整機構の各分割位置ごとの各色インキ量を自動調整するインキ量調整装置に向けて指示するものであることを特徴とする請求項１４記載のインキ調整量指示装置。
【請求項２４】
プログラムを実行する情報処理装置内で実行され、該情報処理装置を、印刷機のインキ調整量指示装置として動作させるインキ調整量指示プログラムであって、
前記情報処理装置を、
網点面積率を表すデバイス空間の座標と網点で形成された色の色度値を表す共通色空間の座標とを対応づけたカラープロファイルを記憶しておくとともに、インキ調整量を標準状態から変えながら、各色インキごとに求めた、網点面積１００％の濃度と前記インキ調整量の関係を記憶しておく記憶部と、
画像データから色調整領域を求める色調整領域取得部と
前記調整領域の共通色空間の座標を取得する目標色取得部と、
前記画像データを印刷した印刷物の前記調整領域を測色して共通色空間の座標を求める測色データ取得部と、
前記目標色取得部で取得した共通色空間の座標と前記測色データ取得部で求めた共通色空間の座標から前記印刷物を刷ったときの各色インキの網点面積１００％の濃度推定値を各インキごとに求めるベタ濃度算出部と、
前記記憶部に記憶された関係に基づいて、前記ベタ濃度算出部で求められた各色インキの網点面積１００％の濃度推定値から各色インキごとの前記各調整量を求める調整量算出部と、
前記調整量算出部で求められた前記調整量を指示する調整量指示部とを備えたインキ調整量指示装置として動作させることを特徴とするインキ調整量指示プログラム。
【請求項２５】
前記色調整領域取得部は、
前記画像データ上に、色調整の基準点を指定する基準点指定部と、
前記カラープロファイルを介して、前記色基準点のデバイス座標から共通色空間座標を含む該座標近傍の色領域を求め、前記カラープロファイルを介して前記画像データ上の前記色領域に対応する色調整領域を求める色調整領域算出部とを備えたことを特徴とする請求項２４記載のインキ調整量指示プログラム。
【請求項２６】
前記色調整領域取得部は、
前記カラープロファイルを介して、前記画像データの共通色空間の所定のグレー領域から前記デバイス空間での色調整領域を求めることを特徴とする請求項２４記載のインキ調整量指示プログラム。
【請求項２７】
前記印刷機は、記録用紙の搬送方向と垂直に分割配置されたインキ量調整機構を持ち、
前記測色データ取得部は、前記インキ量調整機構の各分割位置ごとに求め、
前記ベタ濃度算出部および前記調整量算出部は、前記網点面積１００％の濃度推定値および前記調整量を、各色インキ、かつ、前記各分割位置ごとに求め、
前記調整量指示部は、前記調整量算出部で求められた、各色インキごと、かつ、前記各分割位置ごとの前記各調整量を指示するものであることを特徴とする請求項２４記載のインキ調整量指示プログラム。
【請求項２８】
前記色調整領域取得部は、
前記画像データ上に、色調整の基準点を指定する基準点指定部と、
前記カラープロファイルを介して、前記色基準点のデバイス座標から共通色空間座標を含む該座標近傍の色領域を求め、前記カラープロファイルを介して前記画像データ上の前記色領域に対応する第１の色調整領域を求める第１の色調整領域取得部を具備するとともに、さらに、
前記カラープロファイルを介して、前記画像データの共通色空間の所定のグレー領域から前記デバイス空間での第２の色調整領域を求める第２の色調整領域取得部を具備するものであって、
前記情報処理装置を、
前記各分割位置のうち前記第１の色調整領域が重なる分割頷域については、該第１の色調整領域を前記色調整領域として取り扱い、前記各分割位置のうち前記第１の色調整領域に重なる分割領域を除く指定色不存在分割領域については、前記第２の色調整領域を前記色調整領域として取り扱うインキ調整量指示装置として動作させることを特徴とする請求項２７記載のインキ調整量指示プログラム。
【請求項２９】
前記調整量算出部は、前記各分割領域のうち前記色調整領域算出部で求められた色調整領域に重なる分割領域を除く調整色不存在分割領域については、該調整色不存在分割領域についての前記調整量を、該色調整領域に重なる分割領域について求められる前記調整量に基づいて求めるものであることを特徴とする請求項２７又は２８記載のインキ調整量指示プログラム。
【請求項３０】
前記記憶部は、更に、前記デバイス空間の座標から、ドットゲインを含んだ座標への写像関係を記憶しておくものであり、
前記ベタ濃度算出部は、前記カラープロファイルを介して前記目標色取得部で求められた色度値と、前記測色データ取得部で求められ色度値との双方から該デバイス空間の座標を求め、さらに前記写像関係から前記ドットゲインを含んだ座標に変換するドットゲイン算入部と、
該ドットゲイン算入部で求められた該デバイス空間の該ドットゲインを含んだ座標から前記印刷物を刷ったときの各色インキの網点面積１００％の濃度の推定値を求めるベタ濃度推定部を備えたものであることを特徴とする請求項２４記載のインキ調整量指示プログラム。
【請求項３１】
前記ベタ濃度推定部は、前記２つのドットゲインを含んだ座標それぞれと、印刷機が前記標準状態での網点面積１００％濃度とに基づいて該２つのドットゲインを含んだ座標に対応する２つの濃度値を求め、該２つの濃度値と前記標準網点面積１００％濃度とに基づいて、前記印刷物を刷ったときの網点面積１００％の濃度の推定値を求めることを特徴とする請求項３０記載のインキ調整量指示プログラム。
【請求項３２】
前記調整量指示部は、前記調整量算出部で求められた前記各調整量を、前記印刷機の前記インキ量調整機構の各分割位置ごとの各色インキ量を手動調整するオペレータに向けて指示するものであることを特徴とする請求項２４記載のインキ調整量指示プログラム。
【請求項３３】
前記調整量指示部は、前記調整量算出部で求められた前記各調整量を、前記印刷機の前記インキ量調整機構の各分割位置ごとの各色インキ量を自動調整するインキ量調整装置に向けて指示するものであることを特徴とする請求項２４記載のインキ調整量指示プログラム。
【発明の詳細な説明】
【技術分野】
【０００１】
本発明は、網点画像を出力する、印刷機等の画像出力デバイスを用いて網点画像を出力する際のインキの塗布厚の調整量を指示するインキ調整量指示方法、インキ調整量指示装置、およびコンピュータなどの情報処理装置をインキ調整量指示装置として動作させるインキ調整装置指示プログラムに関する。
【背景技術】
【０００２】
輪転機を回わして大量印刷を行なう印刷機やその他一部のプリンタ等では、インキの塗布面積の割合（網点面積率）によって濃度や色が表現された網点画像が出力される。
【０００３】
しかしながら網点画像の場合であってもその濃度等は必ずしも網点面積率のみによって定まるものではなく、インキが塗布された部分のインキの厚みによってもその濃度等が変化する。
【０００４】
そこで、例えば印刷機の場合、刷版にインキを供給するためのインキ供給経路の上流側にあるロールに隣接するとともにそのロールの回転軸方向に配列された複数（例えば３０個）のインキキーを備え、それらのインキキーの開度を調整したりそのローラの回転速度を調整することにより、刷版に供給するインキの厚みを常に所定のインキ厚みに調整するように構成されている。ここで複数のインキキーそれぞれの開度を調整するとそのローラの回転軸方向を複数のインキキーに応じて分割した各領域ごとのインキ塗布厚が調整され、そのローラの回転速度を調整すると刷版全域に亘るインキ塗布厚が調整される。
【０００５】
ここで、インキキーの開度やローラ回転速度を調整してインキ塗布厚を調整するために、印刷用紙上の余白領域にローラの回転軸方向に並んだカラーパッチを印刷してそれらのカラーパッチの色をオンラインで測定し、その測定結果がオペレータに示される。オペレータは、その測定結果を見て、インキキーの開度やローラの回転速度の調整を行なっている。
【０００６】
従来は、上記のように、オンラインでの測定結果がオペレータに示されるものの、例えば少し′赤っぽい′という測定結果が得られたときに、Ｃ（シアン）のインキ厚を減ずればよいのかそれともＭ（マゼンタ）とＹ（イエロー）のインキ厚を厚くすればよいのかかならずしも明らかではなく、オペレータの経験と勘に頼って調整が行なわれている。
【０００７】
ここで、特許文献１には、印刷シート上に複数のカラーパッチが並ぶカラーコントロールストリップを印刷しその分光反射率を測定してその測定された分光反射率と予め定められた目標分光反射率とを比較してその偏差が最小になるようにインキ供給量を補正するという技術が開示されている。
【０００８】
しかし、このように分光反射率が目標分光反射率に近づくように管理しても、
インキや紙の材料種の違い（メーカーから粘度の異なるインキが売られている、アート紙、マット紙などさまざまな紙がある、など）、印刷機の置かれている部屋の温度／湿度が変化することなどの要因によって、ドットゲイン量が変わってしまい、色校正見本と同じような色には仕上がらない。
【０００９】
この問題を解決するため、特許文献２にはインキ供給装置に目標入力の割り込みを設けインキ供給中において任意のインキキーの開度を調整できるようにした技術が開示されている。上記の特許文献１に開示された技術のみでは、様々な要因によって色校正見本と同じような色に仕上がらないため、この特許文献２の段落番号［０００５］〜［０００８］に記載されているように、オペレータが目標値を再設定する作業を行う必要がある。この特許文献２は、このような作業を行なうに際し、オペレータが重要視している中間調の色の状態を見ながら目標値修正の割り込み処理を行なうことができるようにすることでオペレータの設定作業の効率をあげることを実現している。しかしながら、この特許文献２では、この目標値の変更を行う作業においては、相変わらずオペレータの経験や試行錯誤が必要となる、という点では何ら変わりなく、この点に関しては何ら解決されていない。
【特許文献１】特開平１１−９９６２８号公報
【特許文献２】特開平９−３００５９０号公報
【発明の開示】
【発明が解決しようとする課題】
【００１０】
本発明は、上記事情に鑑み、オペレータの熟練に頼ることなく、インキ調整量を客観的に算出して指示するインキ調整量指示方法、インキ調整量指示装置、およびコンピュータ等の情報処理装置をそのようなインキ調整量指示装置として動作させるインキ調整量指示プログラムを提供することを目的とする。
【課題を解決するための手段】
【００１１】
上記目的を達成する本発明のインキ調整量指示方法は、
印刷機のインキ調整量指示方法において、
網点面積率を表すデバイス空間の座標と網点で形成された色の色度値を表す共通色空間の座標とを対応づけたカラープロファイルを求める第１ステップと、
インキ調整量を標準状態から変えながら、網点面積１００％の濃度と上記インキ調整量の関係を各色インキごとに求める第２ステップと、
画像データから色調整領域を求める第３ステップと、
上記調整領域の共通色空間の座標を取得する第４ステップと、
上記画像データを印刷した印刷物の上記調整領域を測色して共通色空間の座標を求める第５ステップと、
第４ステップの共通色空間の座標と第５ステップの共通色空間の座標から印刷物を刷ったときの各色インキの網点面積１００％の濃度推定値を各インキごとに求める第６ステップと、
第２ステップで求められた関係に基づいて、第６ステップで求められた各色インキの網点面積１００％の濃度推定値から各色インキごとの各調整量を求める第７ステップと、
第７ステップで求められた調整量を指示する第８ステップとを有することを特徴とする。
【００１２】
従来より、画像出力デバイスで所望の濃度や色彩を持つ画像を出力するために、その画像出力デバイスのカラープロファイルが作成され、画像出力用に編集した画像データをその画像出力デバイスのカラープロファイルを用いて変換し、その変換後の画像データを画像出力デバイスに送り、その画像出力デバイスで、その変換後の画像データに基づく所望の色彩の画像を出力することが行なわれている。
【００１３】
本発明は、このカラープロファイルを利用してインキ塗布厚の調整量を算出することに想到し完成されたものである。
【００１４】
用紙上に網点画像を出力すると、インキの広がり具合等により、用紙上の網点画像の網点面積率は画像データ上の網点面積率よりも大きな面積率となる、いわゆるドットゲインが生じる。本発明のインキ調整量指示方法は、このドットゲインを考慮してインキ調整量を正確に算出するものである。
【００１５】
また、印刷画像を実際に印刷するにあたり、本来必要な印刷画像の余白にインキ調整量を求めるための、複数のカラーパッチからなるカラーコントロールストリップを印刷してそのカラーコントロールストリップを構成するカラーパッチを測色する方法も考えられるが（特願２００２−３６４２１７号）、本発明は、印刷画像から直接色度値を求める方法であるため、印刷画像の実際の印刷の際にその印刷画像の余白にカラーコントロールストリップを印刷する必要もない。
【００１６】
ここで、上記本発明のインキ調整量指示方法において、上記第３ステップは、
画像データ上に、色調整の基準点を指定する第１サブステップと、
カラープロファイルを介して、色基準点のデバイス座標から共通色空間座標を含むその座標近傍の色領域を求め、カラープロファイルを介して画像データ上の上記色領域に対応する色調整領域を求める第２サブステップとを有する
ステップであることが好ましい。
【００１７】
こうすることにより網点画像上の任意の点を色調整の基準点として指定することができ、オペレータの意思や感性を反映させることができる。
【００１８】
あるいは、上記第３ステップは、カラープロファイルを介して、画像データの共通色空間の所定のグレー領域からデバイス空間での色調整領域を求めるステップであってもよい。
【００１９】
標準的には網点画像上の所定のグレーの領域を所定のグレー色に調整するためのインキ調整量を求めることが好ましく、上記のように、グレー色の領域を色調整領域として求めてもよい。
【００２０】
上記印刷機は、記録用紙の搬送方向と垂直に分割配置されたインキ量調整機構を持ち、
上記第５ステップは、インキ量調整機構の各分割位置ごとに求めるステップであり、
上記第６ステップおよび上記第７ステップは、網点面積１００％の濃度推定値および上記調整量を、各色インキ、かつ、各分割位置ごとに求めるステップであり、
上記第８ステップは、第７ステップで求められた、各色インキごと、かつ、各分割位置ごとの各調整量を指示するステップであってもよい。
【００２１】
実際の印刷機では、後述する実施形態で示されるように、各色インキごと、かつ印刷用紙の幅方向について複数に分割したときの分割領域ごとにインキキーが備えられて各分割領域ごとにインキ量が調整される。本発明のインキ調整量指示方法は、このような各色インキごと、かつ各分割領域ごとにインキ調整量を指示する方法としても適合するものである。
【００２２】
ここで、上記本発明のインキ調整量指示方法において、上記第３ステップは、
画像データ上に、色調整の基準点を指定する第１サブステップと、
カラープロファイルを介して、色基準点のデバイス座標から共通色空間座標を含むその座標近傍の色領域を求め、カラープロファイルを介して画像データ上の上記色領域に対応する第１の色調整領域を求める第２サブステップとを有するとともに、さらに、
カラープロファイルを介して、画像データの共通色空間の所定のグレー領域からデバイス空間での第２の色調整領域を求める第３ステップを有し、
第４ステップ以降の各ステップは，各分割位置のうち第１の色調整領域が重なる分割頷域については、第１の色調整領域を上記色調整領域として取り扱い、各分割位置のうち第１の色調整領域に重なる分割領域を除く指定色不存在分割領域については、第２の色調整領域を上記色調整領域として取り扱うステップであることも好ましい形態である。
【００２３】
こうすることにより、先ず第一義的には網点画像上に指定された色調整の基準点と同等の色を持つ第１の色調整領域の色が所望の色となるようにインキ調整量が求められ、これによりオペレータの意思ないし感性が反映される。それらの第１の色調整領域とは重ならない指定色不存在分割領域については、いわば標準的なグレーの色を有する第２の色調整領域が所定のグレー色となるようインキ調整量が求められる。これにより、全体としてオペレータの意思を反映させつつ、反映させ得ない分割領域については、インキ量の標準的な調整量が求められる。
【００２４】
また、上記本発明のインキ調整量指示方法において、上記第７ステップは、各分割領域のうち第３ステップで求められた色調整領域に重なる分割領域を除く調整色不存在分割領域については、その調整色不存在分割領域についての調整量を、その色調整領域に重なる分割領域について求められる調整量に基づいて求めるステップであってもよい。
【００２５】
複数の分割領域それぞれについてインキ調整量を求めるにあたり、色調整領域とは重ならない分割領域が発生するおそれがある。第７ステップを上記のように構成するとそのような場合に対処することができる。
【００２６】
上記本発明のインキ調整量指示方法において、デバイス空間の座標から、ドットゲインを含んだ座標への写像関係を定めておき、上記第６ステップは、カラープロファイルを介して第４ステップで求められた色度値と、第５ステップで求められ色度値との双方からデバイス空間の座標を求め、さらに上記写像関係からドットゲインを含んだ座標に変換する第１サブステップと、その第１サブステップで求められたデバイス空間のドットゲインを含んだ座標から印刷物を刷ったときの各色インキの網点面積１００％の濃度の推定値を求める第２サブステップを有するステップとして構成してもよい。
【００２７】
この場合に、
上記写像関係は、デバイス空間上の座標値にカラープロファイルを介して対応づけられた共通色空間上の座標値に基づいてドットゲインを含んだ各色インキごとの網％値を求める演算をデバイス空間上の複数の座標値について行なうことにより、定めたものであってもよく、あるいは、
上記写像関係は、デバイス空間上の複数の座標値に対応づけられた複数のパッチデータに基づいて複数のカラーパッチを出力し、それら複数のカラーパッチそれぞれについてドットゲインを含んだ各色インキごとの網％を測定することにより、定めたものであってもよい。
【００２８】
これらの場合に、上記複数の座標値は、相互に濃度が異なるグレー色に対応する座標値であることが好ましい。
【００２９】
また、上記第６ステップにおける上記第２サブステップは、２つのドットゲインを含んだ座標それぞれと、印刷機が標準状態での網点面積１００％濃度とに基づいてそれら２つのドットゲインを含んだ座標に対応する２つの濃度値を求め、それら２つの濃度値と標準網点面積１００％濃度とに基づいて、印刷物を刷ったときの網点面積１００％の濃度の推定値を求めるものであってもよい。
【００３０】
また、本発明のインキ調整量指示方法において、上記第８ステップは、第７ステップで求められた各調整量を、印刷機のインキ量調整機構の各分割位置ごとの各色インキ量を手動調整するオペレータに向けて指示するものであってもよく、あるいは、上記第８ステップは、第７ステップで求められた各調整量を、印刷機のインキ量調整機構の各分割位置ごとの各色インキ量を自動調整するインキ量調整装置に向けて指示するものであってもよい。
【００３１】
また、上記本発明のインキ調整量指示装置は、印刷機のインキ調整量指示装置において、
網点面積率を表すデバイス空間の座標と網点で形成された色の色度値を表す共通色空間の座標とを対応づけたカラープロファイルを記憶しておくとともに、インキ調整量を標準状態から変えながら、各色インキごとに求めた、網点面積１００％の濃度と上記インキ調整量の関係を記憶しておく記憶部と、
画像データから色調整領域を求める色調整領域取得部と
上記調整領域の共通色空間の座標を取得する目標色取得部と、
画像データを印刷した印刷物の上記調整領域を測色して共通色空間の座標を求める測色データ取得部と、
目標色取得部で取得した共通色空間の座標と測色データ取得部で求めた共通色空間の座標から印刷物を刷ったときの各色インキの網点面積１００％の濃度推定値を各インキごとに求めるベタ濃度算出部と、
記憶部に記憶された関係に基づいて、ベタ濃度算出部で求められた各色インキの網点面積１００％の濃度推定値から各色インキごとの各調整量を求める調整量算出部と、
調整量算出部で求められた調整量を指示する調整量指示部とを備えたことを特徴とする。
【００３２】
このインキ調整量指示装置は、上述のインキ調整量指示方法の実施に好適に適用されるものである。
【００３３】
ここで、このインキ調整量指示装置において、上記色調整領域取得部は、
画像データ上に、色調整の基準点を指定する基準点指定部と、
カラープロファイルを介して、上記色基準点のデバイス座標から共通色空間座標を含むその座標近傍の色領域を求め、カラープロファイルを介して画像データ上の上記色領域に対応する色調整領域を求める色調整領域算出部とを備えたものであることが好ましい。
【００３４】
あるいは、上記色調整領域取得部は、カラープロファイルを介して、画像データの共通色空間の所定のグレー領域からデバイス空間での色調整領域を求めるものであってもよい。
【００３５】
また、本発明のインキ調整量指示装置において、
上記印刷機は、記録用紙の搬送方向と垂直に分割配置されたインキ量調整機構を持ち、
測色データ取得部は、インキ量調整機構の各分割位置ごとに求め、
ベタ濃度算出部および調整量算出部は、網点面積１００％の濃度推定値および上記調整量を、各色インキ、かつ、上記各分割位置ごとに求め、
調整量指示部は、調整量算出部で求められた、各色インキごと、かつ、各分割位置ごとの各調整量を指示するものであってもよい。
【００３６】
この場合に、上記色調整領域取得部は、
画像データ上に、色調整の基準点を指定する基準点指定部と、
カラープロファイルを介して、上記色基準点のデバイス座標から共通色空間座標を含むその座標近傍の色領域を求め、カラープロファイルを介して画像データ上の上記色領域に対応する第１の色調整領域を求める第１の色調整領域取得部を具備するとともに、さらに、
カラープロファイルを介して、画像データの共通色空間の所定のグレー領域からデバイス空間での第２の色調整領域を求める第２の色調整領域取得部を具備するものであって、
このインキ調整量指示装置は、
上記各分割位置のうち第１の色調整領域が重なる分割頷域については、第１の色調整領域を上記色調整領域として取り扱い、上記各分割位置のうち第１の色調整領域に重なる分割領域を除く指定色不存在分割領域については、第２の色調整領域を上記色調整領域として取り扱うことも好ましい形態である。
【００３７】
ここで、上記調整量算出部は、各分割領域のうち色調整領域算出部で求められた色調整領域に重なる分割領域を除く調整色不存在分割領域については、その調整色不存在分割領域についての調整量を、色調整領域に重なる分割領域について求められる調整量に基づいて求めるものであることも好ましい形態である。
【００３８】
また、上記本発明のインキ調整量指示装置において、
上記記憶部は、更に、デバイス空間の座標から、ドットゲインを含んだ座標への写像関係を記憶しておくものであり、
ベタ濃度算出部は、カラープロファイルを介して目標色取得部で求められた色度値と、測色データ取得部で求められ色度値との双方からデバイス空間の座標を求め、さらに上記写像関係からドットゲインを含んだ座標に変換するドットゲイン算入部と、
ドットゲイン算入部で求められたデバイス空間のドットゲインを含んだ座標から印刷物を刷ったときの各色インキの網点面積１００％の濃度の推定値を求めるベタ濃度推定部を備えた構成としてもよい。
【００３９】
その場合に、上記ベタ濃度推定部は、２つのドットゲインを含んだ座標それぞれと、印刷機が標準状態での網点面積１００％濃度とに基づいて２つのドットゲインを含んだ座標に対応する２つの濃度値を求め、それら２つの濃度値と標準網点面積１００％濃度とに基づいて、印刷物を刷ったときの網点面積１００％の濃度の推定値を求めるものであってもよい。
【００４０】
また、本発明のインキ調整量指示装置において、調整量指示部は、調整量算出部で求められた各調整量を、印刷機のインキ量調整機構の各分割位置ごとの各色インキ量を自動調整するオペレータに向けて指示するものであってもよく、あるいは調整量指示部は、調整量算出部で求められた各調整量を、印刷機のインキ量調整機構の各分割位置ごとの各色インキ量を自動調整するインキ量調整装置に向けて指示するものであってもよい。
【００４１】
また、上記目的を達成する本発明のインキ調整量指示プログラムは、プログラムを実行する情報処理装置内で実行され、その情報処理装置を、印刷機のインキ調整量指示装置として動作させるインキ調整量指示プログラムであって、
上記情報処理装置を、
網点面積率を表すデバイス空間の座標と網点で形成された色の色度値を表す共通色空間の座標とを対応づけたカラープロファイルを記憶しておくとともに、インキ調整量を標準状態から変えながら、各色インキごとに求めた、網点面積１００％の濃度とインキ調整量の関係を記憶しておく記憶部と、
画像データから色調整領域を求める色調整領域取得部と、
上記調整領域の共通色空間の座標を取得する目標色取得部と、
画像データを印刷した印刷物の上記調整領域を測色して共通色空間の座標を求める測色データ取得部と、
目標色取得部で取得した共通色空間の座標と測色データ取得部で求めた共通色空間の座標から印刷物を刷ったときの各色インキの網点面積１００％の濃度推定値を各インキごとに求めるベタ濃度算出部と、
記憶部に記憶された関係に基づいて、ベタ濃度算出部で求められた各色インキの網点面積１００％の濃度推定値から各色インキごとの各調整量を求める調整量算出部と、
調整量算出部で求められた調整量を指示する調整量指示部とを備えたインキ調整量指示装置として動作させることを特徴とする。
【００４２】
ここで、上記本発明のインキ調整量指示プログラムにおいて、
上記色調整領域取得部は、
画像データ上に、色調整の基準点を指定する基準点指定部と、
カラープロファイルを介して、上記色基準点のデバイス座標から共通色空間座標を含むその座標近傍の色領域を求め、カラープロファイルを介して画像データ上の上記色領域に対応する色調整領域を求める色調整領域算出部とを備えたものであってもよい。あるいは、上記色調整領域取得部は、カラープロファイルを介して、画像データの共通色空間の所定のグレー領域からデバイス空間での色調整領域を求めるものであってもよい。
【００４３】
また、上記本発明のインキ調整量指示プログラムにおいて、
上記印刷機は、記録用紙の搬送方向と垂直に分割配置されたインキ量調整機構を持ち、
測色データ取得部は、インキ量調整機構の各分割位置ごとに求め、
ベタ濃度算出部および調整量算出部は、網点面積１００％の濃度推定値および上記調整量を、各色インキ、かつ、各分割位置ごとに求め、
調整量指示部は、調整量算出部で求められた、各色インキごと、かつ、各分割位置ごとの各調整量を指示するものであってもよい。
【００４４】
この場合に、上記色調整領域取得部は、
画像データ上に、色調整の基準点を指定する基準点指定部と、
カラープロファイルを介して、上記色基準点のデバイス座標から共通色空間座標を含むその座標近傍の色領域を求め、カラープロファイルを介して画像データ上の上記色領域に対応する第１の色調整領域を求める第１の色調整領域取得部を具備するとともに、さらに、
カラープロファイルを介して、画像データの共通色空間の所定のグレー領域からデバイス空間での第２の色調整領域を求める第２の色調整領域取得部を具備するものであって、
このインキ調整量指示プログラムは、上記情報処理装置を、上記各分割位置のうち第１の色調整領域が重なる分割頷域については、第１の色調整領域を上記色調整領域として取り扱い、上記各分割位置のうち第１の色調整領域に重なる分割領域を除く指定色不存在分割領域については、第２の色調整領域を上記色調整領域として取り扱うインキ調整量指示装置として動作させるものであることも好ましい形態である。
【００４５】
ここで、調整量算出部は、上記各分割領域のうち色調整領域算出部で求められた色調整領域に重なる分割領域を除く調整色不存在分割領域については、調整色不存在分割領域についての調整量を、色調整領域に重なる分割領域について求められる調整量に基づいて求めるものであることが好ましい。
【００４６】
また、本発明のインキ調整量指示プログラムにおいて、
上記記憶部は、更に、デバイス空間の座標から、ドットゲインを含んだ座標への写像関係を記憶しておくものであり、
ベタ濃度算出部は、カラープロファイルを介して目標色取得部で求められた色度値と、測色データ取得部で求められ色度値との双方からデバイス空間の座標を求め、さらに上記写像関係からドットゲインを含んだ座標に変換するドットゲイン算入部と、
ドットゲイン算入部で求められたデバイス空間のドットゲインを含んだ座標から印刷物を刷ったときの各色インキの網点面積１００％の濃度の推定値を求めるベタ濃度推定部を備えたものであってもよく、その場合に、ベタ濃度推定部は、２つのドットゲインを含んだ座標それぞれと、印刷機が標準状態での網点面積１００％濃度とに基づいてそれら２つのドットゲインを含んだ座標に対応する２つの濃度値を求め、それら２つの濃度値と標準網点面積１００％濃度とに基づいて、印刷物を刷ったときの網点面積１００％の濃度の推定値を求めるものであってもよい。
【００４７】
ここで、本発明のインキ調整量指示プログラムにおいて、
上記調整量指示部は、調整量算出部で求められた各調整量を、印刷機のインキ量調整機構の各分割位置ごとの各色インキ量を手動調整するオペレータに向けて指示するものであってもよく、あるいは、
調整量指示部は、調整量算出部で求められた各調整量を、印刷機のインキ量調整機構の各分割位置ごとの各色インキ量を自動調整するインキ量調整装置に向けて指示するものであってもよい。
【００４８】
本発明は、以下のように表現することができる。
【００４９】
すなわち、上記目的を達成する本発明のインキ調整量指示方法は、
所定の記録媒体上に複数色の色インキを各色インキの塗布厚を調整しながら塗布することにより記録媒体上に網点画像を出力する画像出力デバイスを用いて記録媒体上に網点画像を出力する際の、各色インキの塗布厚を調整するための各調整量を指示するインキ調整量指示方法において、
各色インキの網点面積率を座標軸とするデバイス色空間上の座標値と、画像出力デバイスが所定の標準状態にあるときにその座標値に対応づけられた画像データに基づいて画像出力デバイスで出力される網点画像上の色を表わす所定の共通色空間上の座標値とを対応づけたカラープロファイルを求める第１ステップと、
上記各色インキについて網点面積率１００％に対応づけられた各単色パッチデータに基づく各単色ベタパッチを、画像出力デバイスが所定の標準状態にあるときに上記各調整量のみその標準状態から変化させることにより各色インキの塗布厚を変化させながら各インキごとに複数出力し、各単色ベタパッチそれぞれのベタ濃度を測定して、各単色ベタパッチのベタ濃度値と上記調整量との対応関係を各色インキごとに求める第２ステップと、
画像出力デバイスを用いて記録媒体上に出力される予定の網点画像上に、色の調整対象となる色調整領域を求める第３ステップと、
上記色調整領域の調整目標色を表わす共通色空間上の目標座標値を取得する第４ステップと、
画像出力デバイスを用いて記録媒体上に網点画像を出力するにあたり、記録媒体上に出力された後の網点画像上の色調整領域を測色して共通色空間上の座標値を求める第５ステップと、
共通色空間上の、上記第５ステップで求められた座標値と第４ステップで取得した目標座標値との双方に基づいて画像出力デバイスの現在の状態におけるベタ濃度の推定値を各色インキごとに求める第６ステップと、
上記第２ステップで求められた対応関係に基づいて、上記第６ステップで求められた各色インキごとのベタ濃度の推定値から各色インキごとの各調整量を求める第７ステップと、
上記第７ステップで求められた各調整量を指示する第８ステップとを有することを特徴とする。
【００５０】
上記インキ調整量指示方法において、上記第８ステップは、上記第７ステップで求められた各調整量を、画像出力デバイスの各色インキの塗布厚を手動調整するオペレータに向けて指示するものであってもよく、あるいは、上記第８ステップは、上記第７ステップで求められた各調整量を、画像出力デバイスの各色インキの塗布厚を自動調整する塗布厚調整装置に向けて指示するものであってもよい。
【００５１】
従来より、画像出力デバイスで所望の濃度や色彩を持つ画像を出力するために、その画像出力デバイスのカラープロファイルが作成され、画像出力用に編集した画像データをその画像出力デバイスのカラープロファイルを用いて変換し、その変換後の画像データを画像出力デバイスに送り、その画像出力デバイスで、その変換後の画像データに基づく所望の色彩の画像を出力することが行なわれている。
【００５２】
本発明は、このカラープロファイルを利用してインキ塗布厚の調整量を算出することに想到し完成されたものである。
【００５３】
用紙上に網点画像を出力すると、インキの広がり具合等により、用紙上の網点画像の網点面積率は画像データ上の網点面積率よりも大きな面積率となる、いわゆるドットゲインが生じる。本発明のインキ調整量指示方法は、このドットゲインを考慮してインキ調整量を正確に算出するものである。
【００５４】
また、印刷画像を実際に印刷するにあたり、本来必要な印刷画像の余白にインキ調整量を求めるための、複数のカラーパッチからなるカラーコントロールストリップを印刷してそのカラーコントロールストリップを構成するカラーパッチを測色する方法も考えられるが（特願２００２−３６４２１７号）、本発明は、印刷画像から直接色度値を求める方法であるため、印刷画像の実際の印刷の際にその印刷画像の余白にカラーコントロールストリップを印刷する必要もない。
【００５５】
ここで、上記本発明のインキ調整量指示方法において、インキ調整を求めるための測色の対象となる色調整領域を取得する第３ステップは、
画像出力デバイスを用いて記録媒体に出力される予定の網点画像上に、色調整の基準となる色調整基準点を指定する第１サブステップと、
上記色調整基準点のデバイス色空間上の座標値にカラープロファイルを介して対応付けられた共通色空間上の座標値を含むその共通色空間上のその座標値近傍の色領域を求めて、網点画像上に、その色領域にカラープロファイルを介して対応づけられるデバイス色空間上の座標領域内の座標値を持つ色調整領域を求める第２サブステップとを有するステップであることが好ましい。
【００５６】
こうすることにより網点画像上の任意の点を色調整基準点として指定することができ、オペレータの意思や感性を反映させることができる。
【００５７】
あるいは、上記第３ステップは、画像出力デバイスを用いて記録媒体上に出力される予定の網点画像上に、共通色空間上の所定のグレー色領域にカラープロファイルを介して対応付けられるデバイス色空間上の座標領域内の座標値を持つ色調整領域を求めるステップであってもよい。
【００５８】
標準的には網点画像上の所定のグレーの領域を所定のグレー色に調整するためのインキ調整量を求めることが好ましく、上記のように、グレー色の領域を色調整領域として求めてもよい。
【００５９】
また、上記本発明のインキ調整量指示方法において、
画像出力デバイスが、記録用紙を所定の搬送方向に搬送し、各色インキの塗布厚を、各色インキごと、かつ、記録用紙を搬送方向に交わる幅方向について複数に分割したときの各分割領域ごとに、各分割領域ごとの各調整量に応じて調整しながら記録用紙上に網点画像を出力するものであり、
上記第５ステップは、上記色調整領域の共通色空間上の座標値を各分割領域ごとに求めるステップであり、上記第６ステップおよび上記第７ステップは、それぞれ、上記ベタ濃度の推定値および上記調整量を、各色インキごと、かつ、各分割領域ごとに求める各ステップであり、上記第８ステップは、第７ステップで求められた、各色インキごと、かつ、各分割領域ごとの各調整量を指示するステップであってもよい。
【００６０】
実際の印刷機では、後述する実施形態で示されるように、各色インキごと、かつ印刷用紙の幅方向について複数に分割したときの分割領域ごとにインキキーが備えられて各分割領域ごとにインキ量が調整される。本発明のインキ調整量指示方法は、このような各色インキごと、かつ各分割領域ごとにインキ調整量を指示する方法としても適合するものである。
【００６１】
ここで、本発明のインキ調整量指示方法において、各色インキごと、かつ各分割領域ごとにインキ調整量を指示する場合に、インキ調整量を求めるための測色の対象となる色調整領域を取得する第３ステップは、
画像出力デバイスを用いて記録媒体に出力される予定の網点画像上に、色調整の基準となる色調整基準点を指定する第１サブステップと、
上記色調整基準点のデバイス色空間上の座標値にカラープロファイルを介して対応付けられた共通色空間上の座標値を含むその共通色空間上のその座標値近傍の色領域を求めて、網点画像上に、その色領域にカラープロファイルを介して対応づけられるデバイス色空間上の座標領域内の座標値を持つ第１の色調整領域を求める第２サブステップとを有するとともに、さらに、
画像出力デバイスを用いて記録媒体上に出力される予定の網点画像上に、共通色空間上の所定のグレー色領域にカラープロファイルを介して対応づけられるデバイス色空間上の座標領域内の座標値を持つ第２の色調整領域を求める第３サブステップを有し、
前記第４ステップ以降の各ステップは、上記各分割領域のうち上記第２サブステップで求められた第１の色調整領域が重なる分割領域については、その第１の色調整領域を上記の色調整領域として取り扱い、上記各分割領域のうち上記第２サブステップで求められた第１の色調整領域に重なる分割領域を除く指定色不存在分割領域については、上記第２の色調整領域を上記の色調整領域として取り扱うステップであることも好ましい形態である。
【００６２】
こうすることにより、先ず第一義的には網点画像上に指定された色調整基準点と同等の色を持つ第１の色調整領域の色が所望の色となるようにインキ調整量が求められ、これによりオペレータの意思ないし感性が反映される。それらの第１の色調整領域とは重ならない指定色不存在分割領域については、いわば標準的なグレーの色を有する第２の色調整領域が所定のグレー色となるようインキ調整量が求められる。これにより、全体としてオペレータの意思を反映させつつ、反映させ得ない分割領域については、インキ量の標準的な調整量が求められる。
【００６３】
ここで、複数の分割領域それぞれについてインキ調整量を求めるにあたり、色調整領域と重ならない分割領域が発生するおそれがある。そこで、このような場合に対処するために、上記第７ステップは、各分割領域のうち第３ステップで求められた色調整領域に重なる分割領域を除く調整色不存在分割領域については、その調整色不存在分割領域についての調整量を、色調整領域に重なる分割領域について求められる調整量に基づいて求めるものであってもよい。
【００６４】
上記本発明のインキ調整量指示方法は、ドットゲインを考慮する具体的な方法として、
デバイス色空間上の、画像データに対応づけられる座標値から、デバイス色空間上の、ドットゲインを含んだ座標値への写像関係を定めておき、
上記第６ステップは、
第５ステップで求められた、色調整領域の共通色空間上の座標値から、カラープロファイルに基づいてデバイス色空間上の座標値を求め、共通色空間上の上記目標座標値に対応づけられたデバイス色空間上の座標値と、第５ステップで求められた共通色空間上の座標値からカラープロファイルに基づいて求められたデバイス色空間上の座標値との双方を、写像関係に基づいて、デバイス色空間上の各新たな座標値に変換する第１サブステップと、
その第１サブステップで求められたデバイス色空間上の２つの新たな座標値に基づいて、画像出力デバイスの現在の状態におけるベタ濃度の推定値を求める第２サブステップとを有するステップとして構成してもよい。
【００６５】
この場合に、上記写像関係は、デバイス色空間上の座標値にカラープロファイルを介して対応づけられた共通色空間上の座標値に基づいてドットゲインを含んだ各色インキごとの網％値を求める演算をデバイス色空間上の複数の座標値について行なうことにより、定めたものであってもよく、あるいは、上記写像関係は、デバイス色空間上の複数の座標値に対応づけられた複数のパッチデータに基づいて複数のカラーパッチを出力し、それら複数のカラーパッチそれぞれについてドットゲインを含んだ各色インキごとの網％を測定することにより、定めたものであることがさらに好ましい。これらの場合に、それら複数の座標値は、相互に濃度が異なるグレー色に対応する座標値であることが好ましい。
【００６６】
また、上記第６ステップにおける上記第２サブステップは、上記２つの新たな座標値それぞれと画像出力デバイスが標準状態にあるときの標準ベタ濃度値とに基づいてそれら２つの新たな座標値に対応する２つの濃度値を求め、それら２つの濃度値と上記標準ベタ濃度値とに基づいて、画像出力デバイスの現在の状態におけるベタ濃度の推定値を求めるものであってもよい。
【００６７】
また、上記目的を達成する本発明のインキ調整量指示装置は、
所定の記録媒体上に複数色の色インキを各色インキの塗布厚を調整しながら塗布することによりその記録媒体上に網点画像を出力する画像出力デバイスを用いてその記録媒体上に網点画像を出力する際の、各色インキの塗布厚を調整するための各調整量を指示するインキ調整量指示装置において、
各色インキの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルを記憶しておくとともに、各色インキについて網点面積率１００％に対応づけられた各単色パッチデータに基づく各単色ベタパッチを、画像出力デバイスが所定の標準状態にあるときに上記各調整量のみその標準状態から変化させることにより各色インキの塗布厚を変化させながら各インキごとに複数出力して、各単色ベタパッチそれぞれのベタ濃度を測定することにより得られた、各単色ベタパッチのベタ濃度値と上記調整量との各色インキごとの対応関係を記憶しておく記憶部と、
画像出力デバイスを用いて記録媒体上に出力される予定の網点画像上に、色の調整対象となる色調整領域を求める色調整領域取得部と、
上記色調整領域の調整目標色を表わす共通色空間上の目標座標値を取得する目標色取得部と、
画像出力デバイスを用いて記録媒体上に出力された網点画像上の色調整領域の測色により得られた共通色空間上の座標値を取得する測色データ取得部と、
共通色空間上の、上記測色データ取得部で取得された座標値と上記目標色取得部で取得された目標座標値との双方に基づいて画像出力デバイスの現在の状態におけるベタ濃度の推定値を各色インキごとに求めるベタ濃度算出部と、
上記記憶部に記憶された対応関係に基づいて、上記ベタ濃度算出部で求められた各色インキごとのベタ濃度の推定値から各色インキごとの各調整量を求める調整量算出部と、
上記調整量算出部で求められた各調整量を指示する調整量指示部とを備えたことを特徴とする。
【００６８】
このインキ調整量指示装置は、上述のインキ調整量指示方法の実施に好適に適用されるものである。
【００６９】
ここで、このインキ調整量指示装置において、上記調整量指示部は、調整量算出部で求められた各調整量を、画像出力デバイスの各色インキの塗布厚を手動調整するオペレータに向けて指示するものであってもよく、あるいは上記調整量指示部は、調整量算出部で求められた各調整量を、画像出力デバイスの各色インキの塗布厚を自動調整する塗布厚調整装置に向けて指示するものであってもよい。
【００７０】
上記本発明のインキ調整量指示装置において、上記色調整領域取得部は、
画像出力デバイスを用いて記録媒体に出力される予定の網点画像上に、色調整の基準となる色調整基準点を操作に応じて指定する基準点指定部と、
上記色調整基準点のデバイス色空間上の座標値にカラープロファイルを介して対応付けられた共通色空間上の座標値を含むその共通色空間上のその座標値近傍の色領域を求めて、網点画像上に、その色領域にカラープロファイルを介して対応づけられるデバイス色空間上の座標領域内の座標値を持つ色調整領域を求める色調整領域算出部とを備えたものであることが好ましい。
【００７１】
あるいは、上記色調整領域取得部は、画像出力デバイスを用いて記録媒体上に出力される予定の網点画像上に、共通色空間上の所定のグレー色領域にカラープロファイルを介して対応付けられるデバイス色空間上の座標領域内の座標値を持つ色調整領域を求めるものであってもよい。
【００７２】
また、本発明のインキ調整量指示装置において、
画像出力デバイスが、記録用紙を所定の搬送方向に搬送し、各色インキの塗布厚を、各色インキごと、かつ、記録用紙を搬送方向に交わる幅方向について複数に分割したときの各分割領域ごとに、各分割領域ごとの各調整量に応じて調整しながら記録用紙上に網点画像を出力するものであり、
上記測色データ取得部は、上記色調整領域の、共通色空間上の、上記各分割領域ごとの座標値を取得し、上記ベタ濃度算出部および上記調整量算出部は、それぞれ、上記ベタ濃度の推定値および上記調整量を、各色インキごと、かつ、各分割領域ごとに求め、上記調整量指示部は、調整量算出部で求められた、各色インキごと、かつ、上記各分割領域ごとの各調整量を指示するものであってもよい。
【００７３】
この場合に、上記色調整領域取得部は、
画像出力デバイスを用いて記録媒体に出力される予定の網点画像上に、色調整の基準となる色調整基準点を操作に応じて指定する基準点指定部と、
上記色調整基準点のデバイス色空間上の座標値にカラープロファイルを介して対応付けられた共通色空間上の座標値を含むその共通色空間上のその座標値近傍の色領域を求めて、網点画像上に、その色領域にカラープロファイルを介して対応づけられるデバイス色空間上の座標領域内の座標値を持つ第１の色調整領域を求める色調整領域算出部とを備えた第１の色調整領域取得部を具備するとともに、さらに、
画像出力デバイスを用いて記録媒体上に出力される予定の網点画像上に、共通色空間上の所定のグレー色領域にカラープロファイルを介して対応づけられるデバイス色空間上の座標領域内の座標値を持つ第２の色調整領域を求める第２の色調整領域取得部を具備するものであって、
このインキ調整量指示装置は、
上記各分割領域のうち上記第１の色調整領域が重なる分割領域については、その第１の色調整領域の測色により得られる共通色空間上の座標値がその第１の色調整領域の調整目標色を表わす共通色空間上の目標座標値に一致するようにその第１の色調整領域に重なる各分割領域ごとの各調整量を求めるとともに、
上記各分割領域のうち上記第１の色調整領域に重なる分割領域を除く指定色不存在分割領域については、上記第２の色調整領域の測色により得られる共通色空間上の座標値がその第２の色調整領域の調整目標色を表わす共通色空間上の目標座標値に一致するように、各指定色不在分割領域ごとの各調整量を求めるものであることも好ましい形態である。
【００７４】
ここで、上記複数の分割領域それぞれについて色調整量を求めるにあたり、色調整領域と重ならない分割領域の発生に対処するために、上記調整量算出部は、上記各分割領域のうち上記色調整領域算出部で求められた色調整領域に重なる分割領域を除く調整色不存在分割領域については、調整色不存在分割領域についての調整量を、色調整領域に重なる分割領域について求められる調整量に基づいて求めるものであることも好ましい形態である。
【００７５】
また、本発明のインキ調整量指示装置は、ドットゲインを考慮する具体的な構成として、
上記記憶部は、さらに、デバイス色空間上の、画像データに対応づけられる座標値から、そのデバイス色空間上の、ドットゲインを含んだ座標値への写像関係を記憶しておくものであり、
上記ベタ濃度算出部は、
測色データ取得部で取得された色調整領域の共通色空間上の座標値から、カラープロファイルに基づいてデバイス色空間上の座標値を求め、共通色空間上の上記目標座標値に対応づけられたデバイス色空間上の座標値と、測色データ取得部で取得された共通色空間上の座標値からカラープロファイルに基づいて求められたデバイス色空間上の座標値との双方を、上記写像関係に基づいて、デバイス色空間上の各新たな座標値に変換するドットゲイン算入部と、
そのドットゲイン算入部で求められたデバイス色空間上の２つの新たな座標値に基づいて画像出力デバイスの現在の状態におけるベタ濃度の推定値を求めるベタ濃度推定部とを備えた構成としてもよい。
【００７６】
その場合に、上記ベタ濃度推定部は、上記２つの新たな座標値それぞれと画像出力デバイスが標準状態にあるときの標準ベタ濃度値とに基づいてそれら２つの新たな座標値に対応する２つの濃度値を求め、それら２つの濃度値と上記標準ベタ濃度値とに基づいて、画像出力デバイスの現在の状態におけるベタ濃度の推定値を求めるものであってもよい。
【００７７】
また、上記目的を達成する本発明のインキ調整量指示プログラムは、
プログラムを実行する情報処理装置内で実行され、その情報処理装置を、所定の記録媒体上に複数色の色インキを各色インキの塗布厚を調整しながら塗布することによりその記録媒体上に網点画像を出力する画像出力デバイスを用いてその記録媒体上に網点画像を出力する際の、各色インキの塗布厚を調整するための各調整量を指示するインキ調整量指示装置として動作させるインキ調整量指示プログラムであって、
上記情報処理装置を、
各色インキの網点面積率を座標軸とするデバイス色空間上の座標値と、画像出力デバイスが所定の標準状態にあるときにその座標値に対応づけられた画像データに基づいてその画像出力デバイスで出力される網点画像上の色を表わす所定の共通色空間上の座標値とを対応づけたカラープロファイルを記憶しておくとともに、各色インキについて網点面積率１００％に対応づけられた各単色パッチデータに基づく各単色ベタパッチを、画像出力デバイスが所定の標準状態にあるときに上記各調整量のみその標準状態から変化させることにより各色インキの塗布厚を変化させながら各色インキごとに複数出力して、各単色ベタパッチそれぞれのベタ濃度を測定することにより得られた、各単色ベタパッチのベタ濃度値と上記調整量との各色インキごとの対応関係を記憶しておく記憶部と、
画像出力デバイスを用いて記録媒体上に出力される予定の網点画像上に、色の調整対象となる色調整領域を求める色調整領域取得部と、
上記色調整領域の調整目標色を表わす共通色空間上の目標座標値を取得する目標色取得部と、
画像出力デバイスを用いて記録媒体上に出力された網点画像上の色調整領域の測色により得られた共通色空間上の座標値を取得する測色データ取得部と、
共通色空間上の、上記測色データ取得部で取得された座標値と上記目標色取得で取得された目標座標値との双方に基づいて画像出力デバイスの現在の状態におけるベタ濃度の推定値を各色インキごとに求めるベタ濃度算出部と、
上記記憶部に記憶された対応関係に基づいて、上記ベタ濃度算出部で求められた各色インキごとのベタ濃度の推定値から各色インキごとの各調整量を求める調整量算出部と、
上記調整量算出部で求められた各調整量を指示する調整量指示部とを備えたインキ調整量指示装置として動作させることを特徴とする。
【００７８】
ここで、このインキ調整量指示プログラムにおいて、上記調整量指示部は、調整量算出部で求められた各調整量を、画像出力デバイスの各色インキの塗布厚を手動調整するオペレータに向けて指示するものであってもよく、あるいは、上記調整量指示部は、調整量算出部で求められた各調整量を、画像出力デバイスの各色インキの塗布厚を手動調整する塗布厚調整装置に向けて指示するものであってもよい。
【００７９】
また、上記本発明のインキ調整量指示プログラムにおいて、上記色調整領域取得部は、
画像出力デバイスを用いて記録媒体に出力される予定の網点画像上に、色調整の基準となる色調整基準点を操作に応じて指定する基準点指定部と、
上記色調整基準点のデバイス色空間上の座標値にカラープロファイルを介して対応付けられた共通色空間上の座標値を含む共通色空間上の座標値近傍の色領域を求めて、網点画像上に、その色領域にカラープロファイルを介して対応づけられるデバイス色空間上の座標領域内の座標値を持つ色調整領域を求める色調整領域算出部とを備えたものであることが好ましい。
【００８０】
あるいは、上記色調整領域取得部は、画像出力デバイスを用いて記録媒体上に出力される予定の網点画像上に、共通色空間上の所定のグレー色領域にカラープロファイルを介して対応付けられるデバイス色空間上の座標領域内の座標値を持つ色調整領域を求めるものであってもよい。
【００８１】
また、本発明のインキ調整量指示プログラムにおいて、画像出力デバイスが、記録用紙を所定の搬送方向に搬送し、各色インキの塗布厚を、各色インキごと、かつ、記録用紙を搬送方向に交わる幅方向について複数に分割したときの各分割領域ごとに、各分割領域ごとの各調整量に応じて調整しながら記録用紙上に網点画像を出力するものであり、
上記測色データ取得部は、上記色調整領域の、共通色空間上の、上記各分割領域ごとの座標値を取得し、ベタ濃度算出部および調整量算出部は、それぞれ、上記ベタ濃度の推定値および上記調整量を、各色インキごと、かつ、各分割領域ごとに求め、上記調整量指示部は、上記調整量算出部で求められた、各色インキごと、かつ、各分割領域ごとの各調整量を指示するものであってもよい。
【００８２】
この場合に、上記色調整領域取得部は、
画像出力デバイスを用いて記録媒体に出力される予定の網点画像上に、色調整の基準となる色調整基準点を操作に応じて指定する基準点指定部と、
上記色調整基準点のデバイス色空間上の座標値にカラープロファイルを介して対応付けられた共通色空間上の座標値を含むその共通色空間上のその座標値近傍の色領域を求めて、網点画像上に、その色領域にカラープロファイルを介して対応づけられるデバイス色空間上の座標領域内の座標値を持つ第１の色調整領域を求める第１の色調整領域算出部とを備えた第１の色調整領域取得部を具備するとともに、さらに、
画像出力デバイスを用いて記録媒体上に出力される予定の網点画像上に、共通色空間上の所定のグレー色領域にカラープロファイルを介して対応づけられるデバイス色空間上の座標領域内の座標値を持つ第２の色調整領域を求める第２の色調整領域取得部を具備するものであって、
上記情報処理装置を、
上記各分割領域のうち上記第１の色調整領域が重なる分割領域については、上記第１の色調整領域の測色により得られる共通色空間上の座標値がその第１の色調整領域の調整目標色を表わす共通色空間上の目標座標値に一致するようにその第１の色調整領域に重なる各分割領域ごとの各調整量を求めるとともに、
上記各分割領域のうち上記第１の色調整領域に重なる分割領域を除く指定色不存在分割領域については、上記第２の色調整領域の測色により得られる共通色空間上の座標値がその第２の色調整領域の調整目標色を表わす共通色空間上の目標座標値に一致するように、各指定色不在分割領域ごとの各調整量を求めるインキ調整量指示装置として動作させるものであることも好ましい形態である。
【００８３】
ここで、上記複数の分割領域それぞれについて色調整量を求めるにあたり、上記調整量算出部は、上記各分割領域のうち上記色調整領域算出部で求められた色調整領域に重なる分割領域を除く調整色不存在分割領域については、調整色不存在分割領域についての調整量を、色調整領域に重なる分割領域について求められる調整量に基づいて求めるものであることが好ましい。
【００８４】
また、ドットゲインを具体的に考慮する具体的な構成として、上記記憶部は、さらに、デバイス色空間上の、画像データに対応づけられる座標値から、そのデバイス色空間上の、ドットゲインを含んだ座標値への写像関係を記憶しておくものであり、
上記ベタ濃度算出部は、
測色データ取得部で取得された色調整領域の共通色空間上の座標値からカラープロファイルに基づいてデバイス色空間上の座標値を求め、共通色空間上の上記目標座標値に対応づけられたデバイス色空間上の座標値と、測色データ取得部で取得された共通色空間上の座標値からカラープロファイルに基づいて求められたデバイス色空間上の座標値との双方を、写像関係に基づいて、デバイス色空間上の各新たな座標値に変換するドットゲイン算入部と、
そのドットゲイン算入部で求められたデバイス色空間上の２つの新たな座標値に基づいて画像出力デバイスの現在の状態におけるベタ濃度の推定値を求めるベタ濃度推定部とを備えたものであってもよく、その場合に、上記ベタ濃度推定部は、上記２つの新たな座標値それぞれと画像出力デバイスが標準状態にあるときの標準ベタ濃度値とに基づいてそれら２つの新たな座標値に対応する２つの濃度値を求め、それら２つの濃度値と上記標準ベタ濃度値とに基づいて、画像出力デバイスの現在の状態におけるベタ濃度の推定値を求めるものであってもよい。
【発明の効果】
【００８５】
以上説明したように、本発明によれば、オペレータの熟練に頼ることなくインキ調整量が客観的に算出される。
【発明を実施するための最良の形態】
【００８６】
以下、本発明の実施形態について説明する。
【００８７】
図１は、本発明の一実施形態が適用された印刷システムを含む、印刷およびプルーフ画像作成システムの全体構成図である。ここで、図１中の印刷システム４０には、印刷機のほか本発明の一実施形態のインキ調整量指示装置等が含まれている。したがって、本発明の実施形態の特徴は図１に示す印刷およびプルーフ画像システムの全体にあるのではなく、そのうちの１つのブロックで示す印刷システム４０の内部構成にあるが、ここでは、カラープロファイルの従来の使用方法を説明するために、図１に示す印刷およびプルーフ画像作成システム全体についてその概要を説明する。
【００８８】
カラースキャナ１０では、原稿画像１１が読み取られて、その読み取られた原稿画像１１をあらわす、シアン（Ｃ）、マゼンタ（Ｍ）、イエロー（Ｙ）、および墨（Ｋ）からなる４色の色分解画像データが生成される。このＣＭＹＫの画像データはワークステーション２０に入力される。ワークステーション２０では、オペレータにより、入力された画像データに基づく集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００８９】
この印刷用フィルム原版からは刷版が作成され、その作成された刷版が印刷システム４０を構成する印刷機に装着される。この印刷機に装着された刷版にはインキが塗布され、その塗布されたインキが印刷用の用紙上に転写されてその用紙上に印刷画像４１が形成される。
【００９０】
このフィルムプリンタによりフィルム原版を作成し、さらに刷版を作成して印刷機に装着し、その刷版にインキを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００９１】
プルーフ画像を作成するにあたっては、ワークステーション２０上の集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００９２】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つプロファイルが参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００９３】
ここで、パーソナルコンピュータ５０の内部で参照される、ＬＵＴの形式を持つプロファイルは、印刷プロファイルとプリンタプロファイルとの結合からなるリンクプロファイルである。
【００９４】
ここでは、先ず印刷プロファイルについて説明する。
【００９５】
図１に示すワークステーションで例えば０％，１０％，……，１００％と順次変化させたＣＭＹＫ４色の網％データを生成し、前述の印刷手順に従って、そのようにして生成した網％データに基づくカラーチャートを作成する。図１に示す画像４１は、カラーチャートを表わしている画像ではないが、この画像４１に代えて多数のカラーパッチが配列されたカラーチャートを印刷したものとし、そのカラーチャートを構成する各カラーパッチを測色計７０で測色して各カラーパッチのＸＹＺ値（ＣＩＥＸＹＺ色空間上の座標値）を求める。こうすることにより、ＣＭＹＫ４色の色空間上の座標値と共通色空間（ここではＣＩＥＸＹＺ色空間）上の座標値との対応関係をあらわす印刷プロファイルが構築される。
【００９６】
図２は、印刷プロファイルの概念図である。
【００９７】
この印刷プロファイルには、ＣＭＹＫで定義された画像データが入力され、そのＣＭＹＫの画像データがＸＹＺ値で定義された画像データに変換される。ここでは、後述するＣＭＹＫと区別するためにＣ1Ｍ1Ｙ1Ｋ1と表記する。
【００９８】
次に、プリンタプロファイルについて説明する。
【００９９】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ５０で、各色について０％，１０％，…，１００％と順次変化させたＣＭＹＫ４色の網％データ（ここではＣ2Ｍ2Ｙ2Ｋ2と表記する）を生成し、そのようにして生成した網％データをプリンタ６０に送り、プリンタ６０でその網％データに基づくカラーチャートをプリント出力する。図１に示す画像６１は、カラーチャートをあらわしている画像ではないが、プリンタ６０では、この画像６１に代えて、印刷プロファイルの作成のために印刷機での印刷により作成したカラーチャートと同一タイプのカラーチャートを出力したものとし、そのカラーチャートを構成する各カラーパッチを測色計７０で測色してＸＹＺ値（ＣＩＥＸＹＺ色空間上の座標値）を得る。こうすることにより、プリンタ６０についての、Ｃ2Ｍ2Ｙ2Ｋ2４色の色空間上の座標値と共通色空間（ここではＣＩＥＸＹＺ色空間）上の座標値との対応関係をあらわすプリンタプロファイルが構築される。
【０１００】
図３は、プリンタプロファイルの概念図である。
【０１０１】
このプリンタプロファイルには、Ｃ2Ｍ2Ｙ2Ｋ2の網％データが入力され、そのＣ2Ｍ2Ｙ2Ｋ2の網％データがＸＹＺの測色データに変換される。ここでは、この、Ｃ2Ｍ2Ｙ2Ｋ2の網％データをＸＹＺの測色データに変換するプリンタプロファイルをＰであらわし、その逆変換、すなわちＸＹＺの測色データをＣ2Ｍ2Ｙ2Ｋ2の網％データに変換するプリンタプロファイルをＰ-1であらわす。
【０１０２】
尚、ここではプリンタ６０はＣＭＹＫの網％データに基づいて画像を出力するプリンタであるとして説明したが、例えばＲＧＢのデータに基づく画像を出力するプリンタに関しても、パーソナルコンピュータ５０で、ＲＧＢ色空間で定義されたデータを発生させてカラーチャートを出力することにより、同様にしてそのプリンタに適合したプリンタプロファイルを作成することができる。
【０１０３】
ただしここでは、ＣＭＹＫの網％データに基づいて画像を出力するプリンタ６０を使用するものとして説明する。
【０１０４】
尚、印刷プロファイルおよびプリンタプロファイルは１つずつしか存在しない訳ではなく、例えば印刷プロファイルは、印刷機が異なればもちろん、同じ印刷機であっても、インキの違いや印刷用紙の違いなど、異なる印刷条件ごとに作成される。
【０１０５】
またこれと同様に、プリンタプロファイルも、プリンタが異なればもちろん異なり、同じプリンタであってもプリント用紙の違いなど異なるプリント条件ごとに作成される。
【０１０６】
図４は、印刷プロファイルとプリンタプロファイルを結合させたリンクプロファイルを示す図である。
【０１０７】
印刷用のＣ1Ｍ1Ｙ1Ｋ1の網％データを印刷プロファイルＴによりＸＹＺの測色データに変換し、次いでそのＸＹＺの測色データをプリンタプロファイルＰ-1により再び、ただし今度はプリンタ用の、Ｃ2Ｍ2Ｙ2Ｋ2の網％データに変換する。この印刷プロファイルＴとプリンタプロファイルＰ-1との結合からなるリンクプロファイルは、印刷用のＣ1Ｍ1Ｙ1Ｋ一色空間で定義された画像データをプリンタ用のＣ2Ｍ2Ｙ2Ｋ2の色空間で定義された画像データに変換するプロファイルである。
【０１０８】
このように作成されたリンクプロファイルを用いて、今度はカラーチャートではなく、実際の画像を表わす画像データについて、印刷用の、Ｃ1Ｍ1Ｙ1Ｋ1の網％で表現された画像データを、プリンタ用の、Ｃ2Ｍ2Ｙ2Ｋ2の網％で表現された画像データに変換する。
【０１０９】
図１に示すプリンタ６０には、このようにして得られた、Ｃ2Ｍ2Ｙ2Ｋ2の網％で表現された画像データが送られ、プリンタ６０では、その送られてきた画像データに基づいてプルーフ画像がプリント出力される。
【０１１０】
上記のようにしてリンクプロファイルを作成し、そのリンクプロファイルを参照して印刷用の画像データをプリンタ用の画像データに変換して、プリンタ６０でそのプリンタ用の画像データに基づくプルーフ画像をプリント出力することにより、図１に示す印刷画像４１の仕上がりの事前確認を行なうことができる。
【０１１１】
従来、印刷プロファイルは、上記のように印刷画像の事前確認用として用いられている。
【０１１２】
次に、図１に示す印刷およびプルーフ画像作成システムを構成する印刷システム４０の内部構成について説明する。
【０１１３】
図５は、印刷機の一部を示す模式図である。
【０１１４】
印刷用紙Ｐは、それぞれ矢印方向に回転する複数のドラムにより矢印Ａ方向に搬送される。その搬送の間、インキキー４１１により調整された量のインキがロール４１２に転写され、そのロール４１２に転写されたインキが多数のロール４１３により引き延ばされて、ロール４１４に巻回された刷版に供給され、その刷版に供給されたインキが、ロール４１５に巻回された、ゴム等からなるブランケットに、その刷版に形成された画像のパターンに転写され、そのブランケット上のインキが印刷用紙Ｐ上に塗布される。
【０１１５】
図５には、インキ一色分の構成を示したが、印刷機の場合、この図５に示すような構成部分が、印刷用紙Ｐの搬送経路に沿ってＣ（シアン），Ｍ（マゼンタ），Ｙ（イエロー），Ｋ（墨）の４色のインキそれぞれに対応して４機（あるいは特色を含めてさらにそれ以上）備えられており、印刷用紙Ｐがそれらを通過することによってその印刷用紙Ｐ上にフルカラーの印刷画像が生成される。
【０１１６】
図６は、印刷機のうちの、本発明の実施形態に関係する部分、および本発明の一実施形態としてのインキ調整量指示装置として動作するコンピュータの模式図である。
【０１１７】
図５にも示すロール４１２に隣接して、そのロール４１２の回転軸方向に配列された複数（例えば３０個）のインキキー４１１ａ，４１１ｂ，…，４１１ｎが配列されている。それらのインキキー４１１ａ，４１１ｂ，…，４１１ｎそれぞれの開度は、コンピュータ５１０からの指令を受けたインキキー制御部４１８により各インキキーごとに調整される。また、ロール４１２の回転速度は、コンピュータ５１０からの指令を受けたロール回転制御部４１７により制御される。インキキーにはインキ供給部４１６からインキが供給され、ロール４１２および図２に示す多数のロール４１３を介して、刷版に、さらには印刷用紙上に、各インキキーの開度とロール４１２の回転速度に応じた量だけインキが供給される。
【０１１８】
各インキキー４１１ａ，４１１ｂ，…，４１１ｎの開度を調整すると、ロール４１２の回転軸方向の、各インキキー４１１ａ，４１１ｂ，…，４１１ｎに対応した各部分のインキ供給量が調整され、一方ロール４１２の回転速度を調整するとロール４１２の回転軸方向全域のインキ供給量が調整される。尚、この図３においても、インキキー４１１ａ，４１１ｂ，…，４１１ｎ，ロール４１２、インキ供給部４１６、ロール回転制御部４１７、およびインキキー制御部４１８は一色のインキに対応した構成であり、印刷機にはその構成がＣ，Ｍ，Ｙ，Ｋの４色分（あるいは特色を含めてそれ以上）備えられている。
【０１１９】
ロール４１８は、ＣＭＹＫからなる４色のインキによりフルカラー画像が形成された後の印刷用紙Ｐの搬送を担うロールであり、印刷用紙Ｐ上には、印刷画像Ｐ１が印刷されている。
【０１２０】
ロール４１８に対向して、本実施形態では３台の、ライン型分光反射率測定用のＣＣＤカメラ５００ａ，５００ｂ，５００ｃが配列されている。これらのＣＣＤカメラ５００ａ，５００ｂ，５００ｃは、分担して、印刷画像Ｐ１の全幅に亘るラインＬ上の各点の、その印刷画像の分光反射率を測定するものである。
【０１２１】
図７は、図６に３台示すＣＣＤカメラの構造を示す模式図である。
【０１２２】
この図７では図６に３台示すＣＣＤカメラを代表させてＣＣＤカメラ５００と称する。
【０１２３】
このＣＣＤカメラ５００は、レンズ５０１で対象物（図６では印刷画像Ｐ１）からの反射光を取り込み、スリット５０２で自分が分担するラインＬ′上の反射光のみ通過させ、さらにレンズ５０３を経由させてプリズム５０４で分光し、さらにレンズ５０５で、モノクロの二次元ＣＣＤカメラ５０６の撮像面上に結像させる。これにより、二次元ＣＣＤカメラ５０６では、Ｘ方向についてはラインＬ′に沿う方向、Ｙ方向についてはラインＬ′上の各点の各波長ごとの光強度の情報が得られる。
【０１２４】
図６に戻って説明を続ける。
【０１２５】
印刷用紙Ｐは、矢印方向に搬送され、その間、３台のＣＣＤカメラ５００ａ，５００ｂ，５００ｃでは、印刷画像Ｐ１の全幅に亘るラインＬ上の各点の分光反射率が求められる。したがって、それら３台のＣＣＤカメラ５００ａ，５００ｂ，５００ｃでは印刷画像全域の分光反射率が求められることになる。
【０１２６】
それら３台のＣＣＤカメラ５００ａ，５００ｂ，５００ｃで求められた印刷画像Ｐ１の各点の分光反射率の情報は、コンピュータ５１０に取り込まれ、そのコンピュータ５１０内で、その情報に基づいて、印刷画像Ｐ１の各点の測色値（ここではＣＩＥＸＹＺ値とする）が求められる。尚、ここでは分光反射率の情報をコンピュータ５１０に取り込んでからそのコンピュータ５１０内で測色値を求めているが、ＣＣＤカメラ５００ａ，５００ｂ，５００ｃの内部に分光反射率を測色値に変換する機能を持たせておき、ＣＣＤカメラ５００ａ，５００ｂ，５００ｃから、印刷画像Ｐ１の各点の測色値の情報をコンピュータ５１０に取り込んでもよい。
【０１２７】
コンピュータ５１０では、ＣＣＤカメラ５００ａ，５００ｂ，５００ｃから取り込んだ分光反射率を換算して求めた測色値に基づいて、ＣＭＹＫの各色インキごとのインキ塗布厚を調整するための各調整値（図６に示す一色分の構成における各インキキー４１１ａ，４１１ｂ，…，４１１ｎの開度を調整するための各調整値およびロール４１２の回転を調整するための速度調整値や、図６に示す一色分の構成と同様の、他の色の構成における各調整値）が求められる。これらの調整値は、図６に示す一色分の構成で説明すると、この図６に示す一色分の構成におけるインキキー制御部４１８やロール回転制御部４１７に送られ、それらインキキー制御部４１８やロール回転制御部４１７では、送られてきた調整値に基づいて、それぞれ、各インキキー４１１ａ，４１１ｂ，…，４１１ｎの開度やロール４１２の回転速度が調整される。
【０１２８】
以下では、特に断らない場合は、図６に示す構成を引用したときは、図６に示す一色分のみでなく、ＣＭＹＫの各色の対応する構成も含めて引用したものとする。
【０１２９】
本発明の一実施形態としてのインキ調整量指示装置は、図６に示すコンピュータ５１０と、そのコンピュータ５１０で実行される、本発明の一実施形態としてのインキ調整量指示プログラムとの複合により構成されており、以下では、先ず、このコンピュータ５１０のハードウェアについて説明する。
【０１３０】
図６に示すコンピュータ５１０は、外観構成上、本体装置５２０、その本体装置５２０からの指示に応じて表示画面５３０ａ上に画像を表示する画像表示装置５３０、本体装置５２０に、キー操作に応じた各種の情報を入力するキーボード５４０、および、表示画面５３０ａ上の任意の位置を指定することにより、その位置に表示された、例えばアイコン等に応じた指示を入力するマウス５５０を備えている。この本体装置５２０は、外観上、フレキシブルディスク（ＦＤ）を装填するためのＦＤ装填口５２０ａ、およびＣＤ−ＲＯＭを装填するためのＣＤ−ＲＯＭ装填口５２０ｂを有する。
【０１３１】
図８は、図６に外観を示すコンピュータのハードウェア構成図である。
【０１３２】
本体装置５２０の内部には、図８に示すように、各種プログラムを実行するＣＰＵ５２１、ハードディスク装置５２３に格納されたプログラムが読み出されＣＰＵ５２１での実行のために展開される主メモリ５２２、各種プログラムやデータ等が保存されたハードディスク装置５２３、ＦＤ５６０が装填されその装填されたＦＤ５６０をアクセスするＦＤドライブ５２４、ＣＤ−ＲＯＭ５７０が装填され、その装填されたＣＤ−ＲＯＭ５７０をアクセスするＣＤ−ＲＯＭドライブ５２５、図６に示すＣＣＤカメラ５００ａ，５００ｂ，５００ｃと接続され、ＣＣＤカメラ５００ａ，５００ｂ，５００ｃから分光反射率データを受け取る入力インタフェース５２６、および、インキキー制御部５１８およびロール回転制御部４１７と接続されそれらインキキー制御部５１８およびロール回転制御部４１７にインキ塗布厚を調整するための調整値データを送る出力インターフェース５２７が内蔵されており、これらの各種要素と、さらに図６にも示す画像表示装置５３０、キーボード５４０、マウス５５０は、バス５２８を介して相互に接続されている。
【０１３３】
図９は、ＣＤ−ＲＯＭに記憶されたインキ調整量指示プログラムの模式構成図である。
【０１３４】
このＣＤ−ＲＯＭ５７０には、記憶部６１０、色調整領域取得部６２０、目標ＸＹＺ取得部６３０、測定ＸＹＺ取得部６４０、ベタ濃度算出部６５０、調整値算出部６６０、および調整値指示部６７０からなるインキ調整量指示プログラム６００が格納されている。ここで、この調整量指示プログラム６００を構成する色調整領域取得部６２０は基準点指定部６２１と色調整領域算出部６２２とで構成され、ベタ濃度算出部６５０は、ドットゲイン算入部６５１とベタ濃度推定部６５２とで構成されている。
【０１３５】
ここでは、この図９に示すインキ調整量指示プログラム６００を記憶したＣＤ−ＲＯＭ５７０が図６，図８に示すコンピュータ５１０のＣＤ−ＲＯＭドライブ５２５に装填され、そのＣＤ−ＲＯＭ５７０に記憶されたインキ調整量指示プログラム６００がそのコンピュータ５１０にアップロードされてハードディスク装置５２３に記憶される。このハードディスク装置５２３に記憶されたインキ調整量指示プログラム６００が図８に示す主メモリ５２２に展開されてＣＰＵ５２１で実行されると、このコンピュータ５１０は、本発明のインキ調整量指示装置の一実施形態として動作する。
【０１３６】
図９に示すインキ調整量指示プログラム６００の各部６１０〜６７０の作用については後述する。
【０１３７】
図１０は、本発明のインキ調整量指示装置の一実施形態を示す機能ブロック図である。
【０１３８】
この図１０に示すインキ調整量指示処理装置７００は、図６，図８に示すコンピュータ５１０に図９に示すインキ調整量指示プログラム６００がインストールされて実行されることによりそのコンピュータ５１０内に構築されるものである。
【０１３９】
図１０に示すインキ調整量指示プログラム７００は、記憶部７１０と、色調整領域取得部７２０と、目標ＸＹＺ取得部７３０と、測定ＸＹＺ取得部７４０と、ベタ濃度算出部７５０と、調整値算出部７６０と、調整値指示部７７０とから構成されている。ここで、色調整領域取得部７２０はさらに、基準点指定部７２１と、色調整領域算出部７２２とから構成され、ベタ濃度算出部７５０は、ドットゲイン算入部７５１とベタ濃度推定部７５２とから構成されている。
【０１４０】
この図１０に示すインキ調整量指示装置７００を構成する、記憶部７１０、色調整領域取得部７２０（基準点指定部７２１および色調整領域算出部７２２）、目標ＸＹＺ取得部７３０、測定ＸＹＺ取得部７４０、ベタ濃度算出部７５０（ドットゲイン算入部７５１およびベタ濃度推定部７５２）、調整値算出部７６０、および調整値指示部７７０は、図９に示すインキ調整量指示プログラム６００を構成する。それぞれ、記憶部６１０、色調整領域取得部６２０（基準点指定部６２１および色調整領域算出部６２２）、目標ＸＹＺ取得部６３０、測定ＸＹＺ取得部６４０、ベタ濃度算出部６５０（ドットゲイン算入部６５１およびベタ濃度推定部６５２）、調整値算出部６６０、および調整値指示部６７０に対応するが、図１０のインキ調整量指示装置７００の各部７１０〜７７０は、コンピュータ５１０のハードウェアと、オペレーティングシステム（ＯＳ）と、アプリケーションプログラムとの複合で構成されているのに対し、図９のインキ調整量指示プログラム６００の各部６１０〜６７０は、それらのうちのアプリケーションプログラムの部分のみから構成されている。図９のインキ調整量指示プログラム６００がコンピュータ５１０にインストールされて実行されたときの、そのインキ調整量指示プログラム６００の各部６１０〜６７０の作用は、図１０に示すインキ調整量指示装置７００の各部７１０〜７７０の作用そのものであり、以下、図１０のインキ調整量指示装置７００の各部７１０〜７７０の作用を説明することで、図９のインキ調整量指示プログラム６００の各部６１０〜６７０の作用を兼ねるものとする。
【０１４１】
尚、ここでは、図１０のインキ調整量指示装置７００の各部７１０〜７７０の作用を説明するにあたっても、その概要を説明するにとどめ、その詳細は、図１１，図１２を参照しての、本発明の一実施形態としてのインキ調整量指示方法の説明と合わせて説明する。
【０１４２】
図１０に示すインキ調整量指示装置７００は、図５，図６の印刷用紙Ｐ上にＣ，Ｍ，Ｙ，Ｋの４色の色インキを、図６に示すインキキー４１１ａ，４１１ｂ，…，４１１ｎの開度やロール４１２の回転速度を調整することによって（前述したとおり、図６にはＣ，Ｍ，Ｙ，Ｋのうちの一色分の構成のみ示されている）、各色インキの塗布厚を調整しながら印刷用紙Ｐ上に網点の印刷画像を出力する印刷機を用いて印刷用紙Ｐ上に印刷画像を出力する際の、各色インキの塗布厚を調整するための各調整値を指示する装置である。
【０１４３】
ここで、図１０のインキ調整量指示装置７００の記憶部７１０には、カラープロフィル７１０ａと、写像関係７１０ｂと、対応関係７１０ｃが記憶されている。
【０１４４】
カラープロファイル７１０ａは、図２を参照して説明した印刷プロファイルに相当するものであり、各色インキＣＭＹＫの網点面積率を座標軸とするデバイス色空間（ここではＣＭＹＫ色空間）上の座標値と、その座標値に対応づけられた画像データに基づいて、印刷機が所定の標準状態（各所定の色インキや所定の印刷用紙が用いられ、その印刷機の各部やその環境温湿度等が所定の標準の状態に設定された状態）にあるときにその印刷機で出力される印刷画像上の色を表わす、所定の共通色空間（ここではＣＩＥＸＹＺ色空間）上の座標値とを対応づけたものである。
【０１４５】
また、写像関係７１０ｂは、印刷機で用いられるＣＭＹＫの４色のインキの色で表現されるＣＭＹＫ色空間上における、画像データに対応づけられる座標値からドットゲインを含んだ座標値への写像関係である。
【０１４６】
さらに、対応関係７１０ｃは、各色インキについて網点面積率１００％に対応づけられた各単色パッチデータに基づく各単色ベタパッチを、印刷機が標準状態にあるときに上記各調整量のみその標準状態から変化させることにより各色インキの塗布厚を変化させながら各インキごとに複数出力して、各単色ベタパッチそれぞれのベタ濃度を測定することにより得られた、各単色ベタパッチのベタ濃度値と上記調整値との各色インキごとの対応関係である。
【０１４７】
また、図１０のインキ調整量指示装置７００を構成する色調整領域取得部７２０は、図５，図６に示す印刷機を用いて記録用紙Ｐ上に出力される予定の印刷画像上に、色の調整対象となる色調整領域を求める役割りを担っている。本実施形態では具体的には、コンピュータ５１０の画像表示装置５３０の表示画面５３０ａ上に、図５，図６に示す印刷機を用いて印刷を行なおうとしている印刷画像を表わす画像データに基づく画像を表示し、その画像上に、色の調整対象となる色調整領域が求められる。
【０１４８】
本実施形態では、色調整領域取得部７２０は基準点指定部７２１と色調整領域算出部７２２とから構成されている。基準点指定部７２１は、印刷機を用いて記録用紙Ｐ上に出力される予定の印刷画像上に、ここでは具体的には表示画面５３０ａに表示された画像上に、色調整の基準となる色調整基準点を、操作に応じて、すなわちここでは、図６に示すコンピュータ５１０を構成するマウス５５０の操作に応じて、指定する役割りを担っている。また、色調整領域算出部７２２は、そのようにして画像上に指定された色調整基準点のＣＭＹＫ色空間上の座標値にカラープロファイル７１０ａを介して対応付けられたＣＩＥＸＹＺ色空間上の座標値を含む、そのＣＩＥＸＹＺ色空間上の、その座標値近傍の色領域を求めて、印刷予定の画像上に、その色領域にカラープロファイル７１０ａを介して対応づけられるＣＭＹＫ色空間上の座標領域内の座標値を持つ色調整領域を求める役割りを担っている。色調整領域取得部７２０の作用の詳細は後述する。
【０１４９】
また、図１０のインキ調整指示装置７００を構成する目標ＸＹＺ取得部７３０は、上記のように求められた色調整領域の調整目標色を表わすＣＩＥＸＹＺ色空間上の目標座標値（目標ＸＹＺ値）を取得する役割りを担っている。この目標座標値を取得するにあたっては、図１に示すプリンタ６０でプリント出力された、印刷予定の画像のプルーフ画像を用意し、そのプルーフ画像上の、表示画面５３０ａに表示された画像上に指定した色調整基準点に相当する点が測色計で測色されてその点の測色値（ＣＩＥＸＹＺ値）が求められ、その測色値がここでいう目標座標値（目標ＸＹＺ値）とされる。
【０１５０】
図１０に示す目標ＸＹＺ取得部７３０は、ハードウェア上は、上記のようにして求められた目標座標値（目標ＸＹＺ値）を図６に示すコンピュータ５１０を構成するキーボード５４０からキー入力する場合は、そのキーボード５４０を指し、図８に示すコンピュータ５１０の入力インタフェース５２６に測色計を接続しておいて、測色値を電子データのまま取得する場合は、その入力インタフェース５２６を指す。
【０１５１】
また、図１０に示すインキ調整量指示装置７００を構成する測定ＸＹＺ取得部７４０は、本発明にいう測色データ取得部に相当するものであり、印刷機を用いて印刷用紙Ｐ上に印刷された印刷画像Ｐ１上の、上記のようにして求めた色調整領域内の各点の測色により得られたＣＩＥＸＹＺ色空間上の座標値を取得する。本実施形態では、具体的には、図６に示す３台のＣＣＤカメラ５００ａ，５００ｂ，５００ｃで印刷画像Ｐ１の各点の分光反射率が求められてコンピュータ５１０に入力され、そのコンピュータ５１０内ではその印刷画像Ｐ１上の色調整領域内の各点の分光反射率が、その色調整領域内の各点の測色値に換算される。したがって、ここでは、ＣＣＤカメラ５００ａ，５００ｂ，５００ｃから分光反射率の情報を取り込む入力インタフェース５２６と、その取り込まれた分光反射率情報から測色値を求める演算を行なうＣＰＵ５２１等との複合が、図１０の測定ＸＹＺ取得部７４０に相当する。
【０１５２】
また、図１０のインキ調整量指示装置７００を構成するベタ濃度算出部７５０では、測定ＸＹＺ取得部７４０で取得されたＣＩＥＸＹＺ色空間上の座標値と、測定ＸＹＺ取得部７３０で取得された目標ＸＹＺ値との双方に基づいて、印刷機の現在の状態におけるベタ濃度の推定値が各色インキＣＭＹＫごとに求められる。
【０１５３】
このベタ濃度算出部７５０は、ドットゲイン算入部７５１とベタ濃度推定部７５２とから構成されており、それらのうちドットゲイン算入部７５１では、測定ＸＹＺ取得部７４０で取得されたＣＩＥＸＹＺ色空間上の座標値から、カラープロファイル７１０ａに基づいてＣＭＹＫ色空間上の座標値を求め、ＣＩＥＸＹＺ色空間上の目標座標値に対応づけられたＣＭＹＫ色空間上の座標値と、測定ＸＹＺ取得部７４０で取得されたＣＩＥＸＹＺ色空間上の座標値からカラープロファイル７１０ａに基づいて求められたＣＭＹＫ色空間上の座標値との双方が、写像関係７１０ｂに基づいて、ＣＭＹＫ色空間上の各新たな座標値へと変換される。また、ベタ濃度推定部７５２では、ドットゲイン算入部７５１で求められたＣＭＹＫ色空間上の２つの新たな座標値に基づいて印刷機の現在の状態におけるベタ濃度の推定値が求められる。このベタ濃度推定部７５２では、上記の２つの新たな座標値に基づいて印刷機の現在の状態におけるベタ濃度の推定値を求めるにあたっては、それら２つの新たな座標値それぞれと印刷機が標準状態にあるときの標準ベタ濃度値とに基づいてそれら２つの新たな座標値に対応する２つの濃度値が求められ、それら２つの濃度値と上記標準ベタ濃度値とに基づいて、印刷機の現在の状態におけるベタ濃度の推定値が求められる。この演算の詳細については後述する。
【０１５４】
また、図１０のインキ調整量指示装置７００を構成する調整値算出部７６０では、記憶部７１０に記憶された対応関係７１０ｃに基づいて、ベタ濃度算出部７５０で求められた各色インキごとのベタ濃度の推定値から各色インキごとの各インキキーの開度の設定値および各インキごとのロール（図６のロール４１２参照）の回転速度の調整値が求められ、調整値指示部７７０では調整値算出部で求められた調整値が指示される。本実施形態では、この調整値指示部７７０では、各色インキごとの各インキキーの調整値および各色インキごとのロールの回転速度の調整値が図６に示すコンピュータ５１０の画像表示部５１０の表示画面上に表示されるとともに、それらの調整値がインキキー制御部４１８およびロール回転制御部４１７に送られて各インキキーの開度やロール回転速度が自動的に調整され、これによって印刷用紙Ｐ上への各色インキの塗布厚が自動的に調整される。
【０１５５】
ただし、図１０のインキ調整量指示装置７００の調整値指示部７７０は、それらの調整値を表示画面上に表示することによってオペレータに向けて指示するにとどめ、インキキー制御部４１８およびロール回転制御部４１７への各インキキーの開度およびロール回転速度の指令はオペレータに委ねてもよい。
【０１５６】
図１０のインキ調整量指示装置７００の更なる詳細は、次に説明する本発明のインキ調整量指示方法の一実施形態を説明する中で説明する。
【０１５７】
図１１，図１２は、本発明の一実施形態のインキ調整量指示方法の処理の流れを示すブロック図およびフローチャートである。
【０１５８】
先ず、図１２ステップＳ１１に示すように、印刷機を標準状態に設定する。すなわち、印刷機に、印刷を行なおうとするときの、ＣＭＹＫの各色インキを供給し、印刷を行なおうとする印刷用紙をセットし、印刷機の各部の設定をその印刷に適合する条件に設定し、温湿度等の環境も所定の環境に設定する。
【０１５９】
このようにして印刷機を標準状態に設定した後、図２を参照して説明したように、カラーチャートを印刷しそのカラーチャートを構成する各カラーパッチを測色することにより、画像データ上の値（ＣＭＹＫ色空間上の座標値）と印刷画像上の測色値（ＣＩＥＸＹＺ色空間上の座標値）との対応を表わすカラープロファイル（印刷プロファイル）を作成する（図１２ステップＳ１２）。この作成されたカラープロファイルは、図６，図８に示すコンピュータ５１０に記憶される（図１０の記憶部７１０のカラープロファイル７１０ａ）。
【０１６０】
また、印刷機が標準状態にあるときに、各インキキーの開度の設定値のみ標準状態から変化させながら、Ｃ，Ｍ，Ｙ，Ｋの各単色の網点面積率が１００％の単色パッチを各インキキーに対応した領域に印刷し、それらの単色パッチの濃度（ベタ濃度）を測定し、これにより、インキキーの開度の設定値とＣＭＹＫベタ濃度との対応関係を求める（ステップＳ２１）。この対応関係は、ＣＭＹＫのうちの１色のインキの１つのインキキーごとに作成される。図１１（Ｃ）には、一色のインキの１つのインキキーに関する対応関係が示されている。
【０１６１】
このステップＳ２１で求められた対応関係も図６，図８に示すコンピュータ５１０に記憶される（図１０の記憶部７１０の対応関係７１０ｃ）。
【０１６２】
尚、図６を参照して説明したように、インキ塗布厚はインキキーの開度とロール回転速度との双方によって調整されるが、ここでは説明を単純化するため、ロールの回転速度は標準状態のままとし、インキキーの開度の調整によってインキ塗布厚を調整するものとして説明している。
【０１６３】
ロール回転速度の調整と各インキキーの開度の調整との双方によりインキ塗布厚を調整する場合については後述する。
【０１６４】
また、ステップＳ３１において、以下のようにしてドットゲイン算入前後の写像関係が求められる。
【０１６５】
ここでは、Ｍ（マゼンタ），Ｙ（イエロー），Ｋ（墨）の網％（これを単に例えばマゼンタに関して、Ｍ＝○％のように表現することがある。Ｙ，ＫおよびＣ（シアン）に関しても同様である）を、Ｍ＝Ｙ＝Ｋ＝０％に保ったまま、Ｃ＝０％，１０％，２０％，…，１００％のように変化させ、上記のカラープロファイルを参照して、（Ｃ，Ｍ，Ｙ，Ｋ）＝（０％，０％，０％，０％），（１０％，０％，０％，０％），（２０％，０％，０％，０％），…，（１００％，０％，０％，０％）に対応した、ＣＩＥＸＹＺのうちのＸの値を求め、以下の式
【０１６６】
【数１】
2005047117.tif 000003
【０１６７】
に従ってＣ′を求める。この（２）式中、Ｘ１００はカラープロファイルによって（Ｃ，Ｍ，Ｙ，Ｋ）＝（１００％，０％，０％，０％）に対応づけられたＣＩＥＸＹＺのうちのＸの値であり、Ｘ０は、同じカラープロファイルによって（Ｃ，Ｍ，Ｙ，Ｋ）＝（０％，０％，０％，０％）に対応づけられたＣＩＥＸＹＺのうちのＸの値である。ここで、（１）式に従って求めたＣ′を、（１）式中のＸの値をカラープロファイルを参照して求めた際のＣに対応づける。例えば（Ｃ，Ｍ，Ｙ，Ｋ）＝（２０％，０％，０％，０％）を基にカラープロファイルを参照してＸ２０を求め、（１）式に従って、
【０１６８】
【数２】
2005047117.tif 000004
【０１６９】
が求められた場合、Ｃ＝２０％とＣ′＝２４％とを対応づける。このときのＣ＝２０％は、ドットゲインを算入する前の画像データ上の網％、Ｃ′＝２４％は、ドットゲインを算入した後の網％である。
【０１７０】
Ｃ（シアン）のみでなく、Ｍ（マゼンタ），Ｙ（イエロー），Ｋ（墨）についても同様であり、Ｍ（マゼンタ）については、Ｃ＝Ｙ＝Ｋ＝０％に固定するとともにＭ＝０％，１０％，２０％，…，１００％と変化させカラープロファイルを参照してＣＩＥＸＹＺのうちのＹを求め、
【０１７１】
【数３】
2005047117.tif 000005
【０１７２】
但し、Ｙ１００，Ｙ０は、Ｍ＝１００％，０％（Ｃ＝Ｙ＝Ｋは常に０％）のときのＣＩＥＸＹＺのうちのＹの値である。
に従ってドットゲイン算入後のＭ′を求めて、ドットゲイン算入前のＭと算入後のＭ′とを対応づけ、Ｙ（イエロー）については、Ｃ＝Ｍ＝Ｋ＝０％に固定するとともにＹ＝０％，１０％，２０％，…，１００％と変化させカラープロファイルを参照してＣＩＥＸＹＺのうちのＺの値を求め、
【０１７３】
【数４】
2005047117.tif 000006
【０１７４】
但し、Ｚ１００，Ｚ０は、Ｙ＝１００％，０％（Ｃ＝Ｍ＝Ｋは常に０％）のときのＣＩＥＸＹＺのうちのＺの値である。
に従ってドットゲイン算入後のＹ′を求めて、ドットゲイン算入前のＹと算入後のＹ′とを対応づけ、Ｋ（墨）については、Ｃ＝Ｍ＝Ｙ＝０％に固定するとともにＫ＝０％，１０％，２０％，…，１００％と変化させカラープロファイルを参照してＣＩＥＸＹＺのうちのＹの値を求め、
【０１７５】
【数５】
2005047117.tif 000007
【０１７６】
但し、Ｙ１００，Ｙ０は、Ｋ＝１００％，０％（Ｃ＝Ｍ＝Ｙは常に０％）のときのＣＩＥＸＹＺのうちのＹの値である。
に従ってドットゲイン算入後のＫ′を求めて、ドットゲイン算入前のＫと算入後のＫ′とを対応づける。
【０１７７】
図１２のステップＳ３１では、このようにして、ＣＭＹＫ色空間上での、ドットゲイン算入前の画像データ上の座標値からドットゲイン算入後の座標値への写像関係が求められる。この写像関係も、図６，図８に示すコンピュータ５１０に記憶される（図１０に示す記憶部７１０の写像関係７１０ｂ）。
【０１７８】
尚、ここでは、ステップＳ１１で求めたカラープロファイルを参照して、計算上でドットゲイン算入前後の写像関係を求めたが、上述の画像データ（例えばＣ（シアン）に関してはＭ＝Ｙ＝Ｋ＝０％に固定してＣ＝０％，１０％，２０％，…，１００％と変化させた複数の単色パッチを表わす画像データ。Ｍ，Ｙ，Ｋについても同様）に基づく単色パッチを印刷機で印刷しその印刷用紙上にあらわれた単色パッチの網点面積率を測定することによりドットゲイン算入後のＣ′，Ｍ′，Ｙ′，Ｋ′を求め、ドットゲイン算入前の画像データ上のＣ，Ｍ，Ｙ，Ｋと実測により求めたドットゲイン算入後のＣ′，Ｍ′，Ｙ′，Ｋ′とを対応づけることにより、ドットゲイン算入前後の写像関係を求めてもよい。
【０１７９】
以上の各ステップＳ１１，Ｓ１２，Ｓ２１，Ｓ３１は準備段階のステップであり、このような準備が終了した後、画像印刷の場面に移る。
【０１８０】
画像の印刷にあたっては、未だ実際に画像印刷を開始するよりも前に、これから印刷する予定の画像の、図１に示すプリンタ６０でプリント出力されたプルーフ画像を用意し、さらに、これから印刷する予定の画像を表わす画像データに基づいて、コンピュータ５１０の画像表示装置５３０の表示画面５３０ｓ上に、その印刷予定の画像と同一の画像を表示する。こうしておいて、ステップＳ４１ａ，Ｓ４１ｂでは、その表示画面５３０ａ上に表示された画像上に、色調整領域が求められる。ここで、ステップＳ４１ａは、ＣＭＹＫ４色のインキのうちの、ＣＭＹ３色のインキの調整値を求めるための色調整領域を求めるステップであり、ステップＳ４１ｂは、ＣＭＹＫ４色のインキのうちのＫ１色のインキの調整値を求めるための色調整領域を求めるステップである。
【０１８１】
以下においても、ステップＳ４１ａ〜Ｓ４７ａは、ＣＭＹ３色に関するステップ、ステップＳ４１ｂ〜Ｓ４７ｂは、Ｋ１色に関するステップであり、以下では、ＣＭＹ３色に関するステップＳ４１ａ〜Ｓ４７ａを中心に説明し、Ｋ１色に関するステップＳ４１ｂ〜Ｓ４７ｂは、ＣＭＹ３色に関するステップＳ４１ａ〜Ｓ４７ａとの相違点について説明する。
【０１８２】
ステップＳ４１ａでは、先ず、表示画面５３０ａ上に表示された画像上に色を調整しようとする１点（色調整基準点）を、図６に示すマウス５５０で指定する。ここで指定する１点としては、その画像が印刷されたときに、Ｃ，Ｍ，Ｙの３色のインキにより色が表現される点が選択される。具体的には、例えば、Ｃ，Ｍ，Ｙの３色のインキが重畳されるグレーの点、あるいは、その印刷画像上で所望の色に調整したい、例えば肌色、緑色等、その印刷画像上の重要な色の点が指定される。
【０１８３】
これに対し、ステップＳ４１ｂでは、その画像が印刷されたときに、Ｋの１色のインキで表現されるグレーの点が指定される。
【０１８４】
ステップＳ４１ａでは、上記のようにして色調整基準点が指定されると、その指定された色調整基準点のＣＭＹデータ（ＣＭＹＫ色空間上の、Ｋ＝０のサブ色空間（ＣＭＹ色空間）上の座標値）が、カラープロファイル７１０ａ（図１０参照）が参照されてＣＩＥＸＹＺ色空間上の座標値（ＣＩＥＸＹＺ値）に変換され、そのＣＩＥＸＹＺ色空間上のその座標値を含む所定のＸ，Ｙ，Ｚの三次元空間が求められる。この三次元空間は、その座標値（ＣＩＥＸＹＺ値）をＬ*ａ*ｂ色空間に写像したときに、そのＬ*ａ*ｂ色空間上におけるその写像された座標値を中心とし、所定の色度差ΔＥを半径とした球体に対応づけられる空間である。さらに、このようにして求めた三次元空間をカラープロファイル７１０ａを参照してＣＭＹ色空間上の座標領域に変換し、表示画面５３０ａ上が表示されている画像上に、その座標領域内の座標値を持つ点の集合からなる領域（色調整領域）が求められる。
【０１８５】
図１３は、色調整領域の求め方を示した図である。
【０１８６】
表示画面上に、図１３（Ａ）に示す、これから印刷しようとしている、円Ｐ２１と星印Ｐ２２とからなる画像Ｐ２が表示されているとし、表示画面上のマウスカーソル５５１を、その画像Ｐ２上の、色を調整しようとする所望の位置に移動させてマウスクリックを行なう。するとその点（ここでは、図１３（Ａ）に示すように、円Ｐ２１の中の一点）が色調整基準点として指定される。ここで、この図１３（Ａ）の縦に平行に引いた一点鎖線は、この画像Ｐ２と同じ画像を印刷するときの各インキキーに対応する領域を示したものであり、例えば図６に示す各インキキー４１１ａ，４１１ｂ，…，４１１ｎが各領域ｄａ，ｄｂ，…，ｄｎのインキ量の調整を担っていることを表わしている。
【０１８７】
ここでは、図１３（Ａ）の円Ｐ２１の内部は、ほぼ一様な色を有し、星印Ｐ２３の内部もその星印Ｐ２３の中ではほぼ一様な色を有し、さらに、それらの円Ｐ２１および星印Ｐ２２のいずれからも外れた背景も、その背景の中ではほぼ一様な色を有するものとする。ただし、円Ｐ２１の内部と、星印Ｐ２２の内部と、背景は、相互に全く異なる色であるとする。
【０１８８】
ここで、マウス操作により、図１３（Ａ）の円Ｐ２１の内部の一点が色調整基準点として指定されると、その指定された色調整基準点のＣＭＹ値から、カラープロファイル７１０ａ（図１０参照）を参照してＣＩＥＸＹＺ値が求められ、ＣＩＥＸＹＺ色空間上における、そのＣＩＥＸＹＺ値を取り巻く所定の三次元空間（上述したＬ*ａ*ｂ色空間で半径ΔＥの空間）が求められる。
【０１８９】
図１３（Ａ）の円Ｐ５１の内部は全て、ＣＩＥＸＹＺ色空間上では、その三次元空間内に含まれる色を有し、この円Ｐ５１を外れた領域はその三次元空間からは外れた色を有するものとする。このようにして求めたその三次元空間をカラープロファイル７１０ａを参照してＣＭＹ色空間に戻し、そのＣＭＹ色空間上の座標値（ＣＭＹ値）を有する領域（色調整領域）をその画像Ｐ２上に求める。
【０１９０】
図１３（Ｂ）は、上記のようにして画像Ｐ２上に求めた色調整領域を示す図である。
【０１９１】
この図１３（Ｂ）の、図１３（Ａ）の円Ｐ２１に近似した、斜線を施した領域Ｐ２３が上記のようにして求めた色調整領域である。図１３（Ｂ）には、インキキーの区切りを示す一点鎖線のほか、縦横に引いた細かい線が示されている。これらの縦横の線で区切られた各小領域は、図６に示すＣＣＤカメラ５００ａ，５００ｂ，５００ｃで測定される分光反射率の分解能を表わしており、それら各小領域ごとに分光反射率が測定され、その分光反射率に基づいて各小領域ごとにＣＩＥＸＹＺ値が求められる。そこで、色調整領域Ｐ２３を求めるにあたっても図１３（Ｂ）に示す各小領域を単位として各小領域が色調整領域に含まれるか否かが判定される。
【０１９２】
図１２のステップＳ４１ｂについても同様であるが、色調整基準点を指定するにあたっては、印刷時にＫの１色のインキで表現されるグレーの点（例えば図１３（Ａ）の星印Ｐ２２の内部がＫ１色のグレーで表現されるときにおいて、その星印Ｐ２２の内部の一点など）が指定され、そのグレーの点のＫ値がカラープロファイル７１０ｂ（カラープロファイル７１０ｂの、Ｃ＝Ｍ＝Ｙ＝０のＫのみのサブプロファイル）を介してＣＩＥＸＹＺ値に換算され、ＣＩＥＸＹＺ色空間上における、そのＣＩＥＸＹＺ値で表わされる座標を囲う空間が求められ、その空間に対応する、Ｋ１色のインキで表現される、画像Ｐ２上の色調整領域（例えば図１３（Ａ）の星印Ｐ２２に近似した領域）が求められる。
【０１９３】
図１２のステップＳ４２ａ，Ｓ４２ｂでは、用意したプルーフ画像上の色調整基準点が例えば図示しない測色計で測色され、目標となるＣＩＥＸＹＺ値が算出される。この目標となるＣＩＥＸＹＺ値は図６に示すコンピュータ５１０に取り込まれる（図１０の目標ＸＹＺ取得部７３０参照）。
【０１９４】
以上の準備が整った後、実際の印刷が開始される。
【０１９５】
実際の印刷が開始されると、図６に示す３台のＣＣＤカメラ５００ａ，５００ｂ，５００ｃで、図１３（Ｂ）に示す各小領域ごとの分光反射率が測定され、コンピュータ７００内ではその分光反射率に基づいて色調整領域を構成する各小領域のＣＩＥＸＹＺ値が求められる（図１２のステップＳ４３ａ，Ｓ４３ｂ）。
【０１９６】
尚、図１３（Ｂ）に示すような色調整領域Ｐ２３が求められた場合、その色調整領域は、全てのインキキーがそれぞれ分担する領域（図１３（Ｂ）の隣接する縦の一点鎖線に挟まれた領域）の全てには広がっておらず、このままでは、インキ量の調整を行なうことのできないインキキーが生じるおそれがあるが、この点に関しては、後で言及することとし、ここでは、色調整領域Ｐ２３は、全てのインキキーがそれぞれ分担する領域全てに広がっているものとして説明を続ける。
【０１９７】
図１２のステップＳ４４ａでは、コンピュータ５１０内において、図１０に示す記憶部７１０に記憶されたカラープロファイル７１０ａが参照され、測定ＸＹＺ取得部７４０で取得した色調整領域内の各点のＣＩＥＸＹＺ値から、Ｋ＝０％の拘束条件の下でのデバイス信号（ＣＭＹＫ色空間上の座標値）であるＣＭＹ値が算出される。また、ステップＳ４４ｂでは、Ｋ１色のグレー領域からなる色調整領域内の各点のＣＩＥＸＹＺ値から、Ｃ＝Ｍ＝Ｙ＝０％の拘束条件の下でデバイス信号Ｋが算出される。このようにして求めた各小領域ごとのＣＭＹ値あるいはＫ値が、各インキキーにより調整される領域（図１３（Ａ），（Ｂ）に示す複数の縦の一点鎖線のうちの互いに隣接する一点鎖線に挟まれた領域）ごとに平均化され、それらの各領域ごとに、平均値としてのＣＭＹ値あるいはＫ値が求められる。また、このデバイス信号ＣＭＹＫの算出の際、印刷画像Ｐ１上の色調整領域Ｐ２３（図１３（Ｂ）参照）のＣＩＥＸＹＺ値からデバイス信号ＣＭＹＫを求めるだけでなく、それと同様にして、プルーフ画像上の色調整基準点を測色して得た目標となるＣＩＥＸＹＺ値も、その同じカラープロファイルに基づいてデバイス信号ＣＭＹＫ＿ｔａｒに変換される。ここで‘＿ｔａｒ’は目標（ターゲット）であることを示す添字である。
【０１９８】
以下の各ステップＳ４５ａ，Ｓ４５ｂ〜Ｓ４９では、各インキキーに対応した各領域（図１３（Ａ），（Ｂ）に示す、隣接する一点鎖線に挟まれた各領域）ごとに演算等が行なわれる。
【０１９９】
コンピュータ５１０内では、このようにして求めたデバイス信号ＣＭＹＫおよびＣＭＹＫ＿ｔａｒの双方について図１０の記憶部７１０に記憶された写像関係７１０ｂ（図１１（Ｂ）にシアン（Ｃ）に関しその一例を示す）に基づいて、ドットゲイン補正が行なわれ、ドットゲインを含んだ補正デバイス信号Ｃ′Ｍ′Ｙ′Ｋ′，Ｃ′Ｍ′Ｙ′Ｋ′＿ｔａｒが算出される（ステップＳ４５ａ，Ｓ４５ｂ）。これらのステップＳ４５ａ，Ｓ４５ｂの処理は、図１０に示すインキ補正量指示装置７００のベタ濃度算出部７５０を構成するドットゲイン算入部７５１での処理である。
【０２００】
次に、ステップＳ４６ａ，Ｓ４６ｂでは、ドットゲインを含んだ補正デバイス信号Ｃ′Ｍ′Ｙ′Ｋ′，Ｃ′Ｍ′Ｙ′Ｋ′＿ｔａｒから濃度値が算出される。ここでは、補正デバイス信号から濃度値を求めるにあたっては、以下のマーレー・デービスの式を採用する。目標ＣＩＥＸＹＺから求めたデバイス信号ＣＭＹＫ＿ｔａｒにドットゲインを算入した補正デバイス信号Ｃ′Ｍ′Ｙ′Ｋ′＿ｔａｒのうちのシアンＣ′＿ｔａｒについて示すと、
【０２０１】
【数６】
2005047117.tif 000008
【０２０２】
である。ここでＤc１００は、印刷機がインキキーの開度を含め全て標準状態にあるときの網点面積率１００％のシアン（Ｃ）の単色パッチのベタ濃度である。このベタ濃度Ｄc１００は、図１２のステップＳ２１で求められて図１０の記憶部７１０に記憶されている対応関係７１０ｃ（インキ塗布厚を調整するためのインキキーの開度の設定値とベタ濃度との対応関係）中に含まれる、インキキーが標準の開度に設定されているときの単色パッチのベタ濃度である。
【０２０３】
上記（６）式に基づいて、ドットゲインを含んだ補正デバイス信号Ｃ′＿ｔａｒが濃度値Ｄcp＿ｔａｒに換算される。
【０２０４】
また、これと同様に、図６に示すＣＣＤカメラ５００ａ，５００ｂ，５００ｃで色調整領域を測定して得た測定ＣＩＥＸＹＺから求めたデバイス信号ＣＭＹＫにドットゲインを算入した補正デバイス信号Ｃ′Ｍ′Ｙ′Ｋ′についても、補正デバイス信号Ｃ′について示すと、
【０２０５】
【数７】
2005047117.tif 000009
【０２０６】
に従って補正デバイス信号Ｃ′に対応する濃度値Ｄcpが求められる（ステップＳ４６ａ）。
【０２０７】
ここで、補正デバイス信号Ｃ′は、補正デバイス信号Ｃ′＿ｔａｒと比べ一般に異なる網％値を示すが、網％値が変化したのは見かけ上であって実際上はインキ塗布厚が変化したことによる濃度変化であり、網点面積率は一定であると考えられる（実際には、インキ塗布厚が変化すると印刷画像上での網点面積率も若干は変化するが、その変化は小さいと考えられる）。
【０２０８】
そこで、ここでは、（６）式と（７）式から算出した２つの濃度値Ｄcp#tar，Ｄcpから、補正デバイス信号Ｃ′＿ｔａｒ，Ｃ′が相互に同一と見なして（Ｃ′＿ｔａｒ＝Ｃ′）、印刷機の現在の状態におけるベタ濃度値Ｄc１００′を求める（ステップＳ４７ａ）。
【０２０９】
【数８】
2005047117.tif 000010
【０２１０】
以上の（６）〜（８）式の演算はシアン（Ｃ）に関するものであるが、マゼンタ（Ｍ），イエロー（Ｙ），墨（Ｋ）についても同様である。
【０２１１】
すなわち、マゼンタ（Ｍ）については、
【０２１２】
【数９】
2005047117.tif 000011
【０２１３】
【数１０】
2005047117.tif 000012
【０２１４】
但し、ＤM１００は、印刷機がインキキーの開度を含め標準状態にあるときのマゼンタの網点面積率１００％の単色パッチのベタ濃度である。
に基づいて、Ｍ′＿ｔａｒ，Ｍ′にそれぞれ対応した濃度値ＤMP#tar，ＤMP#が算出され（ステップＳ４６ａ）、式
【０２１５】
【数１１】
2005047117.tif 000013
【０２１６】
に従って、印刷機の現在の状態におけるベタ濃度値ＤM＿１００′が算出される（ステップＳ４７ａ）。
【０２１７】
また、イエロー（Ｙ）については、
【０２１８】
【数１２】
2005047117.tif 000014
【０２１９】
【数１３】
2005047117.tif 000015
【０２２０】
但し、ＤY１００は、印刷機がインキキーの開度を含め標準状態にあるときのイエローの網点面積率１００％の単色パッチのベタ濃度である。
に基づいて、Ｙ′＿ｔａｒ，Ｙ′にそれぞれ対応した濃度値ＤYP#tar，ＤYPが算出され（ステップＳ４６ａ）、式
【０２２１】
【数１４】
2005047117.tif 000016
【０２２２】
に従って、印刷機の現在の状態におけるベタ濃度値ＤY＿１００′が算出される（ステップＳ４７ａ）。
【０２２３】
さらに、墨（Ｋ）についても、
【０２２４】
【数１５】
2005047117.tif 000017
【０２２５】
【数１６】
2005047117.tif 000018
【０２２６】
但し、ＤK１００は、印刷機がインキキーの開度を含め標準状態にあるときの墨（Ｋ）の網点面積率１００％の単色パッチのベタ濃度である。
に基づいて、Ｋ′＿ｔａｒ，Ｋ′にそれぞれ対応する濃度値ＤKP#tar，ＤKPが算出され（ステップＳ４６ｂ）、式
【０２２７】
【数１７】
2005047117.tif 000019
【０２２８】
に従って、印刷機の現在の状態におけるベタ濃度値ＤK＿１００′が算出される（ステップＳ４７ｂ）。これらステップＳ４６ａ，Ｓ４６ｂ，Ｓ４７ａ，Ｓ４７ｂの処理は、図１０に示すインキ調整量指示装置７００のベタ濃度算出部７５０を構成するベタ濃度推定部７５２で行われ、上記の（６）〜（１７）式に従って、印刷機の現在の状態におけるベタ濃度の推定値ＤC１００′，ＤM１００′，ＤY１００′，ＤK１００′が求められる。
【０２２９】
ここで、ステップＳ４３ａ，Ｓ４３ｂ〜ステップＳ４７ａ，Ｓ４７ｂの処理は、配列された複数のインキキー（図６に示す一色分のインキキー４１１ａ，４１１ｂ，…，４１１ｎを参照）のそれぞれについて行なわれ、Ｃ，Ｍ，Ｙ，Ｋの各色インキかつ配列された各インキキーについてベタ濃度の推定値が求められる。
【０２３０】
図１２のステップＳ４８では、ステップＳ２１で求められた対応関係、すなわち、図１０のインキ調整量指示装置７００の記憶部７１０に記憶された対応関係７１０ｃ（図１１（Ｃ）参照）に基づいて、ベタ濃度の推定値からインキキーの調整値Ｍが求められる。
【０２３１】
このインキキーの調整値Ｍは、１色のインキの１つのインキキーについて、
Ｍ＝ｆ（Ｄ１００´，Ｄ１００）……（１８）
と表現することができる。ここで、Ｍは、その１色のインキのその１つのインキキーの調整値、Ｄ１００´は、その１色のインキのその１つのインキキーに対応するベタ濃度の推定値、Ｄ１００は、インキキーの開度の設定値を含めその印刷機の全てが標準状態にあるときの、その１色のインキのその１つのインキキーに対応するベタ濃度の測定値である。
【０２３２】
図１４は、図１０のインキ調整量指示装置７００の記憶部７１０に記憶された対応関係７１０ｃ、すなわち、ベタ濃度とインキキーの開度の設定値との対応関係を示す図である。
【０２３３】
図１２のステップＳ４８では、上記（１８）式に示すように、ベタ濃度の推定値Ｄ１００′と標準状態にあるときのベタ濃度値Ｄ１００との双方に基づいて、標準状態におけるベタ濃度と同一のベタ濃度を得られるようにインキキーの開度を調整するための調整値Ｍが求められる。このステップＳ４８の処理は、図１０のインキ調整量指示装置７００の調整値算出部７６０に相当する。
【０２３４】
このステップＳ４８における調整値Ｍの算出は、ＣＭＹＫの各色インキごとかつ各インキキーごとに行なわれる。
【０２３５】
図１２のステップＳ４９（図１０のインキ調整量指示装置７００の調整値指示部７７０）では、ステップＳ４８（図１０のインキ調整量指示装置７００の調整値算出部７６０）で求められる調整値Ｍがコンピュータ５１０の表示画面上に表示されるとともに、ＣＭＹＫの各色インキに対応したインキキー制御部（図６には一色分のインキキー制御部４１８が示されている）に送られてＣＭＹＫの各色インキの各インキキーの開度が調整される。
【０２３６】
図１５は、図６，図８に示すコンピュータ５１０の表示画面５３０ａ上に表示されるインキキー開度調整値Ｍを示す図である。
【０２３７】
ここには、ＣＭＹＫの各色インキごと、かつ各インキキー（ここでは番号１〜番号１３の１３のインキキー）ごとの調整値Ｍが示されている。「＋０」は、そのインキキーの開度は今のままでよいことを表わしており、「＋１」はそのインキキーの開度を＋１ステップだけ調整すべきことを表わしており、「−１」はそのインキキーの開度を−１ステップだけ調整すべきことを表わしている。「＋２」，「−２」等も同様である。
【０２３８】
尚、本実施形態では、今のインキキーの開度を「＋０」とし、今の開度からの相対的な調整値（「＋１」、「−２」等）を表示するように構成したが、今の開度からの相対値ではなく例えばインキキー全閉を基準としたときのインキキーの開度の絶対的な値を求めて表示してもよい。
【０２３９】
本実施形態では、上述したように、各インキキーの開度の調整値が表示されるたけでなく、それらの調整値がＣＭＹＫの各色インキごとのインキキー制御部（図６のインキキー制御部４１８参照）に送られて各インキキーの開度が調整される。
【０２４０】
ただし、図１０のインキ調整量指示装置７００の調整値指示部７７０では、図１５に示すように他コンピュータ５７０の表示画面上に調整値を表示することによってオペレータに向けて指示するにとどめ、図６のインキキー制御部４１８等、ＣＭＹＫの各色インキに対応するインキキー制御部に向けたインキキー開度指令の発信はオペレータに委ねてもよい。
【０２４１】
尚、以上の説明では、色調整領域（図１３（Ｂ）の色調整領域Ｐ２３参照）の内部の各小領域ごとに求めたＣＩＥＸＹＺ値をデバイス値（ＣＭＹ値あるいはＫ値）に換算した後、そのＣＭＹ値あるいはＫ値を、１つのインキキーがインキ量の調整を分担する各領域（図１３（Ｂ）の縦の一点鎖線で挟まれた各領域）ごとに平均し各領域ごとに平均値としてのＣＭＹ値あるいはＫ値を求めてその後の演算を行なう旨説明したが、平均値を求めずに各小領域単位で演算を進め、各小領域ごとに調整値を求めた段階で、それらの調整値を、各インキキーに対応した領域ごとに平均して各領域ごとに平均値としての調整値を求め、各領域ごとの平均値としての調整値を用いて各インキキーの開度を制御してもよい。
【０２４２】
次に、インキキー開度のみでなく、インキキー開度とともにロールの回転速度を制御することによりインキ塗布厚を調整する場合について説明する。
【０２４３】
この場合、図１２のステップＳ２１において、標準状態にある印刷機を用い、インキキーの開度だけでなくロール（図６のロール４１２に相当する、ＣＭＹＫの各色インキ供給用の各ロール）の回転速度を標準状態から変化させて、ＣＭＹＫ各色インキの単色のべた（網点面積率１００％）の単色パッチを印刷し、それらの各単色パッチの濃度を測定し、ベタ濃度とインキキー開度の設定値との対応関係（図１２参照）のみでなく、ベタ濃度とロールの回転速度設定値との対応関係をＣＭＹＫの各色インキごとに求める。これらの対応関係は、図１０の記憶部７１０に記憶しておく。
【０２４４】
図１６は、ベタ濃度とロール回転速度設定値との間の、一色分の対応関係を示す概念図である。
【０２４５】
ロールの回転速度とインキキーの開度との双方を調整することによりインキ塗布厚を調整するときは、各インキキーに対応するベタ濃度の推定値（図１２のステップＳ４７ａ，Ｓ４７ｂ（図１０のベタ濃度算出部７５０）で算出された推定値）を、各ロールに対応する一連のインキキー（例えば図６に示すロール４１２に対応する一連のインキキー４１１ａ，４１１ｂ，…，４１１ｎ）に関するベタ濃度推定値の平均値Ｄ１００′aveを求めて、そのベタ濃度推定値の平均値Ｄ１００′aveと印刷機がインキキーの開度およびロールの回転速度も含めて標準状態にあるときのベタ濃度Ｄ１００とに基づいて図１６に示す回転速度補正値Ｍ′を求める。また、そのロールに対応する各インキキーについては、ベタ濃度推定値Ｄ１００′を以下のようにして新たな推定値に補正する。
【０２４６】
新たな推定値Ｄ１００′＝
元々の推定値Ｄ１００′−（Ｄ１００′ave−Ｄ１００）  ……（１８）
個々のインキキーについては、この（１８）式に基づいて求めた新たな推定値Ｄ１００′を用い、図１４に示すようなベタ濃度とインキキー設定値との対応関係からインキキーの調整値Ｍを求める。
【０２４７】
図１２のステップＳ４９（図１０の調整値指示部７７０）では、上記のようにして求めたＣＭＹＫの各色インキに対応するロール回転速度の各調整値Ｍを、ＣＭＹＫの各色インキに対応する各ロールの回転速度を制御する各ロール速度制御部（図６の一色分の構成におけるロール速度制御部４１７参照）に送って各ロールの回転速度を調整させるとともに各インキキーの各調整値Ｍを、ＣＭＹＫに対応する調整値Ｍごとにそれらの各色インキに対応する各インキキー制御部（図６の一色分の構成におけるインキキー制御部４１８参照）に送って各インキキーの開度を調整させる。また、それとともに、コンピュータ５１０の表示画面上に、図１５に示す各インキキーの調整値を表示するとともにロール回転速度の調整値を表示する。
【０２４８】
図１７は、ロール回転速度調整値の表示例を示す図である。
【０２４９】
ここには、ＣＭＹＫの各色インキの塗布を担当する各ロールについて、それぞれ、回転速度２．０ステップを上げるべきこと、回転速度１．０ステップを上げるべきこと、回転速度２．０ステップを下げるべきこと、および回転速度１．０ステップを上げるべきこと、が示されている。
【０２５０】
以上で本発明の一実施形態の説明を終え、次に本発明の他の実施形態について説明する。ここで、以下に説明する各実施形態においては、これまで説明してきた実施形態との相違点のみ図示および説明する。
【０２５１】
図１８は、図９の色調整領域取得部６２０に代わる色調整領域取得部６２０′を示す図であり、図１９は、図１０の色調整領域取得部７２０に代わる色調整領域取得部７２０′を示す図である。
【０２５２】
図１９の色調整領域取得部７２０′は、図９の色調整領域取得部６２０を図１８の色調整領域取得部６２０′に置き換えたときのインキ調整量指示プログラム６００がコンピュータ５１０にインストールされて実行されたとき、図１８の色調整領域取得部６２０′の実行によりコンピュータ５１０内に実現する機能要素である。
【０２５３】
図１０の色調整領域取得部７２０では、図１３を参照して説明したように、表示画面上に表示された画像上に、マウス操作により色調整基準点が指定され、その表示画像上にその色調整基準点の色とほぼ同じ色の色調整領域が求められたが、図１９の色調整領域取得部７２０′では、ＣＩＥＸＹＺ空間上にある特定濃度のグレー色を表わす座標値があらかじめ指定されており、色調整領域基準点の指定を受けずに、ＣＩＥＸＹＺ色空間上の、そのグレー色近傍のグレー色領域に対応する画像上の領域が色調整領域として求められる。ここでは、ＣＭＹ３色からなるグレー色とＫ１色からなるグレー色の双方があらかじめ指定されており、ＣＩＥＸＹＺ色空間上の、それら各グレー色近傍の各グレー色領域に対応する、印刷予定の画像上の、ＣＭＹ３色で表現されるグレー領域およびＫ１色で表示されるグレー領域がそれぞれ色調整領域として求められる。ここでは、色調整基準点を指定することに代わり、基準のグレー色があらかじめ指定されている旨説明したが、基準のグレー色をあらかじめは定めずに、その画像全域をサーチして、そのサーチの結果からその画像上の広い領域が色調整領域に含まれるように、その画像ごとに基準のグレー色を定めてもよい。
【０２５４】
画像上のある点のグレー色を所望のグレー色に調整するのが一般的であり、図１８，図１９に示すように、色調整基準点を指定することなく、一律にグレー色を調整するように構成してもよい。
【０２５５】
図２０，２１は、もう１つの実施形態における、図９の色調整領域取得部６２０に代わる色調整領域取得部６２０″および図１０の色調整領域取得部７２０に代わる色調整領域取得部７２０″を示す図である。
【０２５６】
図２１の色調整領域取得部７２０″は、図９の色調整領域取得部６２０を図２０の色調整領域取得部６２０″に置き換えたときのインキ調整量指示プログラム６００がコンピュータ５１０にインストールされて実行されたときに、図２０の色調整領域取得部６２０″の実行によりコンピュータ５１０内に実現する機能要素である。
【０２５７】
図２１の色調整領域取得部７２０″を構成する第１の色調整領域取得部７２０Ａ、およびその第１の色調整領域取得部７２０Ａを構成する基準点指定部７２１Ａと色調整領域算出部７２２Ａは、それぞれ、図１０に示すインキ調整量指示装置７００を構成する色調整領域取得部７２０、およびその色調整領域取得部７２０を構成する基準点指定部７２１と色調整領域算出部７２２と同一である。
【０２５８】
また、図２１の色調整領域取得部７２０″を構成する第２の色調整領域取得部７２０Ｂは、図１９の色調整領域取得部７２０′と同一である。ただし、第１の色調整領域取得部６２０で求められた第１の色調整領域の方が優先し、図１３（Ａ），（Ｂ）に示す各インキキーによりインキ量の調整が分担された各領域（図１３（Ａ），（Ｂ）の、隣接する縦の一点鎖線に挟まれた各領域）のうち、第１の色調整領域が広がっていてその第１の色調整領域の測色データに基づいてそのインキキーの開度が可能なときはそのインキキーの領域については第１の色調整領域が採用され、画像上のそれ以外の領域について、第２の色調整領域取得部７２０Ｂで求められたグレー色の第２の色調整領域が採用される。
【０２５９】
このようにして、全体として広い色調整領域を採用して、各インキキーの開度調整用の調整値が求められるが、それでもなお色調整領域が広がっていないインキキーの領域については、色調整領域が広がっているインキキーについて求められた調整値が適用される。調整値が求められてないインキキーに、調整値が求められたインキキーの調整値を適用するにあたっては、できるだけ近接したインキキーの調整値を採用してもよく、あるいは調整値が求められた複数のインキキーの調整値の平均値を採用してもよい。
【０２６０】
調整値が求められないインキキーについて、調整値が求められたインキキーの調整値を適用するのは、図２０，図２１の実施形態に限られるものではなく、図１８，図１９の実施形態、あるいは、図９，図１０の実施形態において行なってもよい。
【０２６１】
尚、以上の各実施形態は、本発明にいう画像出力デバイスの一例として印刷機を取り上げて説明したが、本発明の対象となる画像出力デバイスは、印刷機に限られるものではなく、本発明は、網点面積率により濃度階調や色調を表現する網点画像を出力する画像出力デバイスであって、インキ塗布厚を調整する機構のある画像出力デバイス一般を対象とすることができる。
【図面の簡単な説明】
【０２６２】
【図１】本発明の一実施形態が適用された印刷システムを含む、印刷およびプルーフ画像作成システムの全体構成図である。
【図２】印刷プロファイルの概念図である。
【図３】プリンタプロファイルの概念図である。
【図４】印刷プロファイルとプリンタプロファイルを結合させたリンクプロファイルを示す図である。
【図５】印刷機の一部を示す模式図である。
【図６】印刷機のうちの、本発明の実施形態に関係する部分、および本発明の一実施形態としてのインキ調整量指示装置として動作するコンピュータの模式図である。
【図７】図６に示すＣＣＤカメラの構造を示す模式図である。
【図８】図６に外観を示すコンピュータのハードウェア構成図である。
【図９】ＣＤ−ＲＯＭに記憶されたインキ調整量指示プログラムの模式構成図である。
【図１０】図６に外観を示すコンピュータのハードウェア構成図である。
【図１１】本発明の一実施形態のインキ調整量指示方法の処理の流れを示すブロック図およびフローチャートである。
【図１２】本発明の一実施形態のインキ調整量指示方法の処理の流れを示すブロック図およびフローチャートである。
【図１３】色調整領域の求め方を示した図である。
【図１４】ベタ濃度とインキキーの開度の設定値との対応関係を示す図である。
【図１５】コンピュータの表示画面上に表示されるインキキー開度調整値Ｍを示す図である。
【図１６】ベタ濃度とロール回転速度設定値との間の、一色分の対応関係を示す概念図である。
【図１７】ロール回転速度調整値の表示例を示す図である。
【図１８】図９の色調整領域取得部に代わる色調整領域取得部を示す図である。
【図１９】図１０の色調整領域取得部に代わる色調整領域取得部を示す図である。
【図２０】もう１つの実施形態における、図９の色調整領域取得部に代わる色調整領域取得部を示す図である。
【図２１】もう１つの実施形態における、図１０の色調整領域取得部７２０に代わる色調整領域取得部を示す図である。
【符号の説明】
【０２６３】
１０  カラースキャナ
１１  原稿画像
２０  ワークステーション
３０  フィルムプリンタ
４０  印刷システム
４１  印刷画像
５０  パーソナルコンピュータ
６０  プリンタ
６１  プルーフ画像
７０  測色計
４１１，４１１ａ，４１１ｂ，…，４１１ｎ  インキキー
４１２  ロール
４１６  インキ供給部
４１７  ロール回転制御
４１８  インキキー制御部
５００，５００ａ，５００ｂ，５００ｃ  ＣＣＤカメラ
５１０  コンピュータ
５２０  本体装置
５２１  ＣＰＵ
５２２  主メモリ
５２３  ハードディスク装置
５２４  ＦＤドライブ
５２５  ＣＤ−ＲＯＭドライブ
５２６  入力インターフェイス
５２７  出力インターフェイス
５２８  バス
５４０  キーボード
５５０  マウス
５６０  ＦＤ
５７０  ＣＤ−ＲＯＭ
６００  インキ調整量指示プログラム
６１０  記憶部
６２０  色調整領域取得部
６２１  色調整領域取得部
６２２  基準点指定部
６２０′  色調整領域取得部
６２０″  色調整領域取得部
６２０Ａ  第１の色調整領域取得部
６２１Ａ  基準点指定部
６２２Ａ  色調整領域算出部
６２０Ｂ  第２の色調整領域取得部
６３０  目標ＸＹＺ取得部
６４０  測定ＸＹＺ取得部
６５０  ベタ濃度算出部
６５１  ドットゲイン算入部
６５２  ベタ濃度推定部
６６０  調整値算出部
６７０  調整値指示部
７１０  記憶部
７１０ａ  カラープロファイル
７１０ｂ  写像関係
７１０ｃ  対応関係
７２０  色調整領域取得部
７２１  基準点指定部
７２２  色調整領域算出部
７２０′  色調整領域取得部
７２０″  色調整領域取得部
７２０Ａ  第１の色調整領域取得部
７２１Ａ  基準点指定部
７２２Ａ  色調整領域算出部
７２０Ｂ  第２の色調整領域取得部
７３０  目標ＸＹＺ取得部
７４０  測定ＸＹＺ取得部
７５０  ベタ濃度算出部
７５１  ドットゲイン算入部
７５２  ベタ濃度推定部
７６０  調整値算出部
７７０  調整値指示部
【図１】
2005047117.tif 000020
【図２】
2005047117.tif 000021
【図３】
2005047117.tif 000022
【図４】
2005047117.tif 000023
【図５】
2005047117.tif 000024
【図６】
2005047117.tif 000025
【図７】
2005047117.tif 000026
【図８】
2005047117.tif 000027
【図９】
2005047117.tif 000028
【図１０】
2005047117.tif 000029
【図１１】
2005047117.tif 000030
【図１２】
2005047117.tif 000031
【図１３】
2005047117.tif 000032
【図１４】
2005047117.tif 000033
【図１５】
2005047117.tif 000034
【図１６】
2005047117.tif 000035
【図１７】
2005047117.tif 000036
【図１８】
2005047117.tif 000037
【図１９】
2005047117.tif 000038
【図２０】
2005047117.tif 000039
【図２１】
2005047117.tif 000040